(57)【要約】  UEおよびネットワークによって実行され得るニューラジオ(NR)ユーザ機器(UE)登録プロシージャが開示され、既存のUE登録プロシージャよりも効率的であり得るUE登録をもたらす。たとえば、UE登録プロシージャは、非回復可能EAP障害が発生するときに登録プロシージャを中止するか、または回復可能EAP障害が発生するときにNAS登録タイマーを中断もしくは再開するために、拡張可能認証プロトコル(EAP)コンポーネントと非アクセス層(NAS)コンポーネントとの間のメッセージングを利用し得る。
2022500912.tif 000002
【特許請求の範囲】
【請求項１】
ユーザ機器(UE)におけるワイヤレス通信の方法であって、
第1のネットワークにおいて前記UEを登録するためのセキュリティプロシージャを起動するステップであって、前記UEが、拡張可能認証プロトコル(EAP)コンポーネントおよび非アクセス層(NAS)コンポーネントを実装する、ステップと、
前記セキュリティプロシージャの起動に応答して前記NASコンポーネントにおいてNAS登録タイマーを開始するステップであって、前記NAS登録タイマーの満了が、前記NASコンポーネントに前記セキュリティプロシージャを中止させるように構成される、ステップと、
前記セキュリティプロシージャにおけるEAP障害を決定するステップと、
前記EAP障害が、前記セキュリティプロシージャの少なくとも部分を再試行することによって回復可能な回復可能タイプ障害であるのか、それとも前記セキュリティプロシージャのいかなる部分を再試行することによっても回復可能でない非回復可能タイプ障害であるのかを、決定するステップと、
前記EAP障害が前記非回復可能タイプ障害であることに応じて前記セキュリティプロシージャを中止するステップと、
前記EAP障害が前記回復可能タイプ障害であることに応じて前記NAS登録タイマーを中断または再開するステップと
を備える方法。
【請求項２】
前記第1のネットワークが、スタンドアロン(SA)モードでの第5世代(5G)ネットワークである、請求項1に記載の方法。
【請求項３】
前記セキュリティプロシージャが、第3世代パートナーシッププロジェクト(3GPP)第5世代(5G)NASシグナリングを介した、第3世代認証および鍵合意(EAP-AKA)のためのEAP方法、または第3世代認証および鍵合意(EAP-AKA')認証プロシージャのための改善されたEAP方法である、請求項1に記載の方法。
【請求項４】
前記EAP障害が前記非回復可能タイプ障害であることに応じて前記セキュリティプロシージャを中止するために、前記EAPコンポーネントから前記NASコンポーネントへ第1のメッセージを送るステップと、
前記EAP障害が前記回復可能タイプ障害であることに応じて前記NAS登録タイマーを中断または再開するために、前記EAPコンポーネントから前記NASコンポーネントへ第2のメッセージを送るステップと
をさらに備える、請求項1に記載の方法。
【請求項５】
前記セキュリティプロシージャを中止するステップが、前記第1のメッセージの受信に応答して前記NASコンポーネントによって実行され、前記方法が、
前記NASコンポーネントによる前記セキュリティプロシージャの中止に応答して前記第1のネットワークとは異なる第2のネットワーク上に接続することを試行するステップをさらに備える、
請求項4に記載の方法。
【請求項６】
前記第1のメッセージの受信に応答して前記第1のネットワークにおける前記UEの後続の登録試行を前記NASコンポーネントによって妨げるステップ
をさらに備える、請求項4に記載の方法。
【請求項７】
前記NAS登録タイマーを中断または再開するステップが、前記第2のメッセージの受信に応答して前記NASコンポーネントによって実行される、請求項4に記載の方法。
【請求項８】
前記第2のメッセージの送出に応答して前記EAPコンポーネントによって前記セキュリティプロシージャの少なくとも前記部分を再試行するステップ
をさらに備える、請求項4に記載の方法。
【請求項９】
前記EAP障害が前記回復可能タイプ障害であるのかそれとも前記非回復可能タイプ障害であるのかを決定するステップが、前記EAP障害が認証および鍵合意(AKA)同期障害であることを決定するステップをさらに備え、前記AKA同期障害が前記回復可能タイプ障害である、請求項1に記載の方法。
【請求項１０】
前記EAP障害が前記回復可能タイプ障害であるのかそれとも前記非回復可能タイプ障害であるのかを決定するステップが、前記EAP障害が認証障害であることを決定するステップをさらに備え、前記認証障害が前記非回復可能タイプ障害である、請求項1に記載の方法。
【請求項１１】
前記UEが、セルラーモデムおよびアプリケーションプロセッサを備える、請求項1に記載の方法。
【請求項１２】
前記NASコンポーネントが、前記セルラーモデムの中に実装され、前記EAPコンポーネントが、前記アプリケーションプロセッサの中のEAPライブラリとして実装され、前記EAPライブラリおよび前記NASコンポーネントが、少なくとも1つのEAPアプリケーションプログラミングインターフェース(API)を介して通信する、請求項11に記載の方法。
【請求項１３】
前記NASコンポーネントおよび前記EAPコンポーネントが、前記セルラーモデムの中に実装され、前記EAPコンポーネントが、前記NASコンポーネントによってアクセス可能な追加のレイヤを実装し、前記EAPコンポーネントおよび前記NASコンポーネントが、前記追加のレイヤを介して通信する、請求項11に記載の方法。
【請求項１４】
前記NASコンポーネントが、第3世代パートナーシッププロジェクト(3GPP)技術仕様(TS)24.501に従って構成される、請求項1に記載の方法。
【請求項１５】
前記EAPコンポーネントが、インターネットエンジニアリングタスクフォース(IETF)コメント要請(RFC)3748に従って構成される、請求項1に記載の方法。
【請求項１６】
メモリと、
前記メモリと通信している少なくとも1つのプロセッサとを備える、ユーザ機器(UE)であって、前記少なくとも1つのプロセッサが、
第1のネットワークにおいて前記UEを登録するためのセキュリティプロシージャを起動することであって、前記UEが、拡張可能認証プロトコル(EAP)コンポーネントおよび非アクセス層(NAS)コンポーネントを実装することと、
前記セキュリティプロシージャの起動に応答して前記NASコンポーネントにおいてNAS登録タイマーを開始することであって、前記NAS登録タイマーの満了が、前記NASコンポーネントに前記セキュリティプロシージャを中止させるように構成されることと、
前記セキュリティプロシージャにおけるEAP障害を決定することと、
前記EAP障害が、前記セキュリティプロシージャの少なくとも部分を再試行することによって回復可能な回復可能タイプ障害であるのか、それとも前記セキュリティプロシージャのいかなる部分を再試行することによっても回復可能でない非回復可能タイプ障害であるのかを、決定することと、
前記EAP障害が前記非回復可能タイプ障害であることに応じて前記セキュリティプロシージャを中止することと、
前記EAP障害が前記回復可能タイプ障害であることに応じて前記NAS登録タイマーを中断または再開することとを行うように構成される、
ユーザ機器。
【請求項１７】
前記第1のネットワークが、スタンドアロン(SA)モードでの第5世代(5G)ネットワークである、請求項16に記載のユーザ機器。
【請求項１８】
前記セキュリティプロシージャが、第3世代パートナーシッププロジェクト(3GPP)第5世代(5G)NASシグナリングを介した、第3世代認証および鍵合意(EAP-AKA)のためのEAP方法、または第3世代認証および鍵合意(EAP-AKA')認証プロシージャのための改善されたEAP方法である、請求項16に記載のユーザ機器。
【請求項１９】
前記少なくとも1つのプロセッサが、
前記EAP障害が前記非回復可能タイプ障害であることに応じて前記セキュリティプロシージャを中止するために、前記EAPコンポーネントから前記NASコンポーネントへ第1のメッセージを送り、
前記EAP障害が前記回復可能タイプ障害であることに応じて前記NAS登録タイマーを中断または再開するために、前記EAPコンポーネントから前記NASコンポーネントへ第2のメッセージを送るようにさらに構成される、
請求項16に記載のユーザ機器。
【請求項２０】
前記少なくとも1つのプロセッサが、前記第1のメッセージの受信に応答して前記NASコンポーネントによって前記セキュリティプロシージャを中止するように構成され、
前記少なくとも1つのプロセッサが、前記NASコンポーネントによる前記セキュリティプロシージャの中止に応答して前記第1のネットワークとは異なる第2のネットワーク上に接続することを試行するようにさらに構成される、
請求項19に記載のユーザ機器。
【請求項２１】
前記少なくとも1つのプロセッサが、
前記第1のメッセージの受信に応答して前記第1のネットワークにおける前記UEの後続の登録試行を前記NASコンポーネントによって妨げるようにさらに構成される、
請求項19に記載のユーザ機器。
【請求項２２】
前記少なくとも1つのプロセッサが、前記第2のメッセージの受信に応答して前記NASコンポーネントによって前記NAS登録タイマーを中断または再開するように構成される、請求項19に記載のユーザ機器。
【請求項２３】
前記少なくとも1つのプロセッサが、
前記第2のメッセージの送出に応答して前記EAPコンポーネントによって前記セキュリティプロシージャの少なくとも前記部分を再試行するようにさらに構成される、
請求項19に記載のユーザ機器。
【請求項２４】
前記少なくとも1つのプロセッサが、前記EAP障害が認証および鍵合意(AKA)同期障害であることをさらに決定することによって、前記EAP障害が前記回復可能タイプ障害であるのかそれとも前記非回復可能タイプ障害であるのかを決定するように構成され、前記AKA同期障害が前記回復可能タイプ障害である、請求項16に記載のユーザ機器。
【請求項２５】
前記少なくとも1つのプロセッサが、前記EAP障害が認証障害であることをさらに決定することによって、前記EAP障害が前記回復可能タイプ障害であるのかそれとも前記非回復可能タイプ障害であるのかを決定するように構成され、前記認証障害が前記非回復可能タイプ障害である、請求項16に記載のユーザ機器。
【請求項２６】
前記UEが、セルラーモデムおよびアプリケーションプロセッサを備える、請求項16に記載のユーザ機器。
【請求項２７】
前記NASコンポーネントが、前記セルラーモデムの中に実装され、前記EAPコンポーネントが、前記アプリケーションプロセッサの中のEAPライブラリとして実装され、前記EAPライブラリおよび前記NASコンポーネントが、少なくとも1つのEAPアプリケーションプログラミングインターフェース(API)を介して通信する、請求項26に記載のユーザ機器。
【請求項２８】
前記NASコンポーネントおよび前記EAPコンポーネントが、前記セルラーモデムの中に実装され、前記EAPコンポーネントが、前記NASコンポーネントによってアクセス可能な追加のレイヤを実装し、前記EAPコンポーネントおよび前記NASコンポーネントが、前記追加のレイヤを介して通信する、請求項26に記載のユーザ機器。
【請求項２９】
ユーザ機器(UE)であって、
第1のネットワークにおいて前記UEを登録するためのセキュリティプロシージャを起動するための手段であって、前記UEが、拡張可能認証プロトコル(EAP)コンポーネントおよび非アクセス層(NAS)コンポーネントを実装する、手段と、
前記セキュリティプロシージャの起動に応答して前記NASコンポーネントにおいてNAS登録タイマーを開始するための手段であって、前記NAS登録タイマーの満了が、前記NASコンポーネントに前記セキュリティプロシージャを中止させるように構成される、手段と、
前記セキュリティプロシージャにおけるEAP障害を決定するための手段と、
前記EAP障害が、前記セキュリティプロシージャの少なくとも部分を再試行することによって回復可能な回復可能タイプ障害であるのか、それとも前記セキュリティプロシージャのいかなる部分を再試行することによっても回復可能でない非回復可能タイプ障害であるのかを、決定するための手段と、
前記EAP障害が前記非回復可能タイプ障害であることに応じて前記セキュリティプロシージャを中止するための手段と、
前記EAP障害が前記回復可能タイプ障害であることに応じて前記NAS登録タイマーを中断または再開するための手段と
を備えるユーザ機器。
【請求項３０】
ユーザ機器(UE)のプロセッサによって実行可能なコンピュータコードを記憶する非一時的コンピュータ可読媒体であって、前記コンピュータコードが、前記プロセッサによって実行されたとき、前記プロセッサに、
第1のネットワークにおいて前記UEを登録するためのセキュリティプロシージャを起動することであって、前記UEが、拡張可能認証プロトコル(EAP)コンポーネントおよび非アクセス層(NAS)コンポーネントを実装することと、
前記セキュリティプロシージャの起動に応答して前記NASコンポーネントにおいてNAS登録タイマーを開始することであって、前記NAS登録タイマーの満了が、前記NASコンポーネントに前記セキュリティプロシージャを中止させるように構成されることと、
前記セキュリティプロシージャにおけるEAP障害を決定することと、
前記EAP障害が、前記セキュリティプロシージャの少なくとも部分を再試行することによって回復可能な回復可能タイプ障害であるのか、それとも前記セキュリティプロシージャのいかなる部分を再試行することによっても回復可能でない非回復可能タイプ障害であるのかを、決定することと、
前記EAP障害が前記非回復可能タイプ障害であることに応じて前記セキュリティプロシージャを中止することと、
前記EAP障害が前記回復可能タイプ障害であることに応じて前記NAS登録タイマーを中断または再開することとをさせる、
非一時的コンピュータ可読記録媒体。
【発明の詳細な説明】
【技術分野】
【０００１】
関連出願の相互参照
本出願は、その全体が参照により本明細書に明確に組み込まれる、「EXTENSIBLE AUTHENTICATION PROTOCOL (EAP) IMPLEMENTATION IN NEW RADIO (NR)」と題する2018年9月13日に出願された米国仮出願第62/730,863号、および「EXTENSIBLE AUTHENTICATION PROTOCOL (EAP) IMPLEMENTATION IN NEW RADIO (NR)」と題する2019年8月22日に出願された米国特許出願第16/548,381号の利益を主張する。
【０００２】
本開示は、一般に、通信システムに関し、より詳細には、ユーザ機器(UE)とワイヤレス通信ネットワークとの間の通信に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
これらの多元接続技術は、異なるワイヤレスデバイスが都市、国家、地域、さらには地球規模で通信することを可能にする共通プロトコルを提供するために、様々な電気通信規格において採用されている。例示的な電気通信規格は5Gニューラジオ(NR:New Radio)である。5G NRは、レイテンシ、信頼性、セキュリティ、(たとえば、モノのインターネット(IoT)を伴う)スケーラビリティに関連する新たな要件、および他の要件を満たすように、第3世代パートナーシッププロジェクト(3GPP)によって公表された継続的なモバイルブロードバンド進化の一部である。5G NRは、拡張モバイルブロードバンド(eMBB:enhanced mobile broadband)、マッシブマシンタイプ通信(mMTC:massive machine type communications)、および超高信頼低レイテンシ通信(URLLC:ultra-reliable low latency communications)に関連するサービスを含む。5G NRのいくつかの態様は、4Gロングタームエボリューション(LTE)規格に基づいてよい。5G NR技術においてさらなる改善の必要がある。これらの改善はまた、他の多元接続技術、およびこれらの技術を採用する電気通信規格に適用可能であり得る。
【０００５】
たとえば、NR通信技術以降に対して、現在のUE登録プロシージャは効率的な動作を行わないことがある。したがって、ワイヤレス通信動作における改善が望まれることがある。
【発明の概要】
【課題を解決するための手段】
【０００６】
以下は、1つまたは複数の態様の基本的理解をもたらすために、そのような態様の簡略化された概要を提示する。本概要は、すべての企図される態様の包括的な概説ではなく、すべての態様の主要または重要な要素を識別するものでもなく、いずれかまたはすべての態様の範囲を定めるものでもない。その唯一の目的は、後で提示されるより詳細な説明の前置きとして、1つまたは複数の態様のいくつかの概念を簡略化された形で提示することである。
【０００７】
本開示の一態様では、方法、コンピュータ可読媒体、および装置が提供される。
【０００８】
一態様では、本開示は、ユーザ機器(UE)におけるワイヤレス通信の方法を含む。方法は、第1のネットワークにおいてUEを登録するためのセキュリティプロシージャを起動することを含んでよく、ここで、UEは、拡張可能認証プロトコル(EAP:extensible authentication protocol)コンポーネントおよび非アクセス層(NAS:non-access stratum)コンポーネントを実装する。方法は、セキュリティプロシージャの起動に応答してNASコンポーネントにおいてNAS登録タイマーを開始することをさらに含んでよく、ここで、NAS登録タイマーの満了は、NASコンポーネントにセキュリティプロシージャを中止させるように構成される。方法は、セキュリティプロシージャにおけるEAP障害を決定することをさらに含んでよい。方法は、EAP障害が、セキュリティプロシージャの少なくとも部分を再試行することによって回復可能な回復可能タイプ障害であるのか、それともセキュリティプロシージャのいかなる部分を再試行することによっても回復可能でない非回復可能タイプ障害であるのかを、決定することをさらに含んでよい。方法は、EAP障害が非回復可能タイプ障害であることに応じてセキュリティプロシージャを中止することをさらに含んでよい。方法は、EAP障害が回復可能タイプ障害であることに応じてNAS登録タイマーを中断または再開することをさらに含んでよい。
【０００９】
その上、本開示はまた、第1のネットワークにおいてUEを登録するためのセキュリティプロシージャを起動するように構成された少なくとも1つのプロセッサと通信しているメモリを有するUEを含み、UEは、拡張可能認証プロトコル(EAP)コンポーネントおよび非アクセス層(NAS)コンポーネントを実装する。少なくとも1つのプロセッサは、セキュリティプロシージャの起動に応答してNASコンポーネントにおいてNAS登録タイマーを開始するようにさらに構成され、NAS登録タイマーの満了は、NASコンポーネントにセキュリティプロシージャを中止させるように構成される。少なくとも1つのプロセッサは、セキュリティプロシージャにおけるEAP障害を決定するようにさらに構成される。少なくとも1つのプロセッサは、EAP障害が、セキュリティプロシージャの少なくとも部分を再試行することによって回復可能な回復可能タイプ障害であるのか、それともセキュリティプロシージャのいかなる部分を再試行することによっても回復可能でない非回復可能タイプ障害であるのかを、決定するようにさらに構成される。少なくとも1つのプロセッサは、EAP障害が非回復可能タイプ障害であることに応じてセキュリティプロシージャを中止するようにさらに構成される。少なくとも1つのプロセッサは、EAP障害が回復可能タイプ障害であることに応じてNAS登録タイマーを中断または再開するようにさらに構成される。
【００１０】
その上、本開示はまた、第1のネットワークにおいてUEを登録するためのセキュリティプロシージャを起動するための手段を含むユーザ機器(UE)を含み、UEは、拡張可能認証プロトコル(EAP)コンポーネントおよび非アクセス層(NAS)コンポーネントを実装する。UEは、セキュリティプロシージャの起動に応答してNASコンポーネントにおいてNAS登録タイマーを開始するための手段をさらに含み、NAS登録タイマーの満了は、NASコンポーネントにセキュリティプロシージャを中止させるように構成される。UEは、セキュリティプロシージャにおけるEAP障害を決定するための手段をさらに含む。UEは、EAP障害が、セキュリティプロシージャの少なくとも部分を再試行することによって回復可能な回復可能タイプ障害であるのか、それともセキュリティプロシージャのいかなる部分を再試行することによっても回復可能でない非回復可能タイプ障害であるのかを、決定するための手段をさらに含む。UEは、EAP障害が非回復可能タイプ障害であることに応じてセキュリティプロシージャを中止するための手段をさらに含む。UEは、EAP障害が回復可能タイプ障害であることに応じてNAS登録タイマーを中断または再開するための手段をさらに含む。
【００１１】
その上、本開示はまた、ユーザ機器(UE)のプロセッサによって実行可能なコンピュータコードを記憶する非一時的コンピュータ可読媒体を含み、コンピュータコードは、プロセッサによって実行されたとき、プロセッサに、第1のネットワークにおいてUEを登録するためのセキュリティプロシージャを起動させ、UEは、拡張可能認証プロトコル(EAP)コンポーネントおよび非アクセス層(NAS)コンポーネントを実装する。コンピュータコードは、プロセッサによって実行されたとき、さらにプロセッサに、セキュリティプロシージャの起動に応答してNASコンポーネントにおいてNAS登録タイマーを開始させ、NAS登録タイマーの満了は、NASコンポーネントにセキュリティプロシージャを中止させるように構成される。コンピュータコードは、プロセッサによって実行されたとき、さらにプロセッサに、セキュリティプロシージャにおけるEAP障害を決定させる。コンピュータコードは、プロセッサによって実行されたとき、さらにプロセッサに、EAP障害が、セキュリティプロシージャの少なくとも部分を再試行することによって回復可能な回復可能タイプ障害であるのか、それともセキュリティプロシージャのいかなる部分を再試行することによっても回復可能でない非回復可能タイプ障害であるのかを、決定させる。コンピュータコードは、プロセッサによって実行されたとき、さらにプロセッサに、EAP障害が非回復可能タイプ障害であることに応じてセキュリティプロシージャを中止させる。コンピュータコードは、プロセッサによって実行されたとき、さらにプロセッサに、EAP障害が回復可能タイプ障害であることに応じてNAS登録タイマーを中断または再開させる。
【００１２】
上記の目的および関係する目的の達成のために、1つまたは複数の態様は、以下で十分に説明されるとともに特に特許請求の範囲の中で指摘される特徴を備える。以下の説明および添付の図面は、1つまたは複数の態様のいくつかの例示的な特徴を詳細に記載する。しかしながら、これらの特徴は、様々な態様の原理が採用され得る様々な方法のうちのほんのいくつかを示すものであり、この説明は、すべてのそのような態様およびそれらの均等物を含むものとする。
【００１３】
開示する態様は、開示する態様を限定するためではなく例示するために提供される添付の図面とともに以下で説明され、同様の符号は同様の要素を示す。
【図面の簡単な説明】
【００１４】
【図１】UE登録プロシージャを実行するように本開示に従って構成された、拡張可能認証プロトコル(EAP)コンポーネントおよび非アクセス層(NAS)コンポーネントを有する少なくとも1つのユーザ機器(UE)を含む、ワイヤレス通信システムおよびアクセスネットワークの一例の図である。
【図２】本開示の第1の態様による、UE登録のための例示的なメッセージシーケンスフローである。
【図３】本開示の第2の態様による、UE登録のための例示的なメッセージシーケンスフローである。
【図４】本開示の第3の態様による、UE登録のための例示的なメッセージシーケンスフローである。
【図５】本開示の第4の態様による、UE登録のための例示的なメッセージシーケンスフローである。
【図６】本開示の第5の態様による、UE登録のための例示的なメッセージシーケンスフローである。
【図７】本開示の一態様による、第1の例示的なUE実装形態のブロック図である。
【図８】本開示の一態様による、第2の例示的なUE実装形態のブロック図である。
【図９】本開示の態様による、UE登録のための第1の例示的な方法のフローチャートである。
【図１０】本開示の態様による、UE登録のための第2の例示的な方法のフローチャートである。
【図１１】本開示の態様による、UE登録のための第3の例示的な方法のフローチャートである。
【図１２】本開示の態様による、図1のUEの例示的な構成要素のブロック図である。
【図１３】本開示の態様による、図1の基地局の例示的な構成要素のブロック図である。
【図１４】本開示の態様による、アクセスネットワークの中の基地局およびUEの例示的な構成要素の図である。
【発明を実施するための形態】
【００１５】
添付の図面に関して以下に記載する詳細な説明は、様々な構成の説明として意図され、本明細書で説明する概念が実践され得る唯一の構成を表すものではない。詳細な説明は、様々な概念の完全な理解を与える目的で、具体的な詳細を含む。しかしながら、これらの概念がこれらの具体的な詳細なしに実践され得ることが当業者には明らかであろう。いくつかの事例では、そのような概念を不明瞭にすることを回避するために、よく知られている構造および構成要素がブロック図の形態で示される。
【００１６】
いくつかの本態様は、ユーザ機器(UE)の中に実装された拡張可能認証プロトコル(EAP)コンポーネントと非アクセス層(NAS)コンポーネントとの間のメッセージングを使用する、ニューラジオ(NR)ネットワークにおける改善されたUE登録プロシージャに関係する。本態様の追加の特徴が、図1〜図14に関して以下でより詳細に説明される。
【００１７】
電気通信システムのいくつかの態様が、ここで、様々な装置および方法に関して提示される。これらの装置および方法は、以下の詳細な説明において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装され得る。そのような要素がハードウェアとして実装されるのかそれともソフトウェアとして実装されるのかは、特定の適用例および全体的なシステムに課される設計制約に依存する。
【００１８】
例として、要素または要素の任意の部分または要素の任意の組合せは、1つまたは複数のプロセッサを含む「処理システム」として実装され得る。プロセッサの例は、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明する様々な機能を実行するように構成された他の好適なハードウェアを含む。処理システムの中の1つまたは複数のプロセッサは、ソフトウェアを実行し得る。ソフトウェアは、ソフトウェア、ファームウェア、ミドルウェア、マイクロコード、ハードウェア記述言語、またはそれ以外で呼ばれるかどうかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるものとする。
【００１９】
したがって、1つまたは複数の例示的な態様では、説明する機能は、ハードウェア、ソフトウェア、またはそれらの任意の組合せで実装され得る。ソフトウェアで実装される場合、機能は、コンピュータ可読媒体上に記憶されるか、またはコンピュータ可読媒体上に1つもしくは複数の命令もしくはコードとして符号化され得る。コンピュータ可読媒体はコンピュータ記憶媒体を含む。記憶媒体は、コンピュータによってアクセスされ得る任意の利用可能な媒体であってよい。限定ではなく例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気記憶デバイス、上述のタイプのコンピュータ可読媒体の組合せ、またはコンピュータによってアクセスされ得る命令もしくはデータ構造の形態のコンピュータ実行可能コードを記憶するために使用され得る任意の他の媒体を備えることができる。
【００２０】
図1を参照すると、本開示の様々な態様によれば、例示的なワイヤレス通信システムおよびアクセスネットワーク100(ワイヤレスワイドエリアネットワーク(WWAN)とも呼ばれる)は、基地局102、UE104、発展型パケットコア(EPC:Evolved Packet Core)160、および別のコアネットワーク190(たとえば、5Gコア(5GC:5G Core))を含む。UE104は、5GC190の中のアクセスおよびモビリティ管理機能(AMF:access and mobility management function)コンポーネント146ならびに認証サーバ機能(AUSF:authentication server function)コンポーネント148、ならびにアクセスネットワーク100の中のユーザデータ管理(UDM:user data management)コンポーネント149と一緒に、アクセスネットワーク100においてUE104を登録するためのUE登録プロシージャを実行する、ユニバーサル加入者識別モジュール(USIM:universal subscriber identity module)140、NASコンポーネント142、およびEAPコンポーネント144を含む。一態様では、NASコンポーネント142およびEAPコンポーネント144は、UE104のモデム143内に実装される。別の態様では、NASコンポーネント142はUE104のモデム143内に実装されるが、EAPコンポーネント144はUE104のアプリケーションプロセッサ(AP)145内に実装される。本態様のさらなる詳細が以下で説明される。
【００２１】
基地局102は、マクロセル(大電力セルラー基地局)および/またはスモールセル(小電力セルラー基地局)を含んでよい。マクロセルは基地局を含む。スモールセルは、フェムトセル、ピコセル、およびマイクロセルを含む。
【００２２】
4G LTE(発展型ユニバーサルモバイル電気通信システム(UMTS)地上波無線アクセスネットワーク(E-UTRAN)と総称される)のために構成された基地局102は、バックホールリンク132(たとえば、S1インターフェース)を通じてEPC160とインターフェースし得る。5G NR(次世代RAN(NG-RAN)と総称される)のために構成された基地局102は、バックホールリンク184を通じてコアネットワーク190とインターフェースし得る。他の機能に加えて、基地局102は、以下の機能、すなわち、ユーザデータの転送、無線チャネルの暗号化および解読、完全性保護、ヘッダ圧縮、モビリティ制御機能(たとえば、ハンドオーバ、デュアル接続性)、セル間干渉協調、接続のセットアップおよび解放、負荷分散、非アクセス層(NAS)メッセージのための配信、NASノード選択、同期、無線アクセスネットワーク(RAN)共有、マルチメディアブロードキャストマルチキャストサービス(MBMS)、加入者および機器の追跡、RAN情報管理(RIM)、ページング、測位、ならびに警告メッセージの配送のうちの、1つまたは複数を実行し得る。基地局102は、バックホールリンク134(たとえば、X2インターフェース)を介して互いに直接または間接的に(たとえば、EPC160またはコアネットワーク190を通じて)通信し得る。バックホールリンク134および/またはバックホールリンク132および/またはバックホールリンク184は、有線またはワイヤレスであってよい。
【００２３】
基地局102は、UE104とワイヤレス通信し得る。基地局102の各々は、それぞれの地理的カバレージエリア110に通信カバレージを提供し得る。重複する地理的カバレージエリア110があってよい。たとえば、スモールセル102'は、1つまたは複数のマクロ基地局102のカバレージエリア110と重複するカバレージエリア110'を有してよい。スモールセルとマクロセルの両方を含むネットワークは、異種ネットワークと呼ばれることがある。異種ネットワークはまた、限定加入者グループ(CSG:Closed Subscriber Group)と呼ばれる制限されたグループにサービスを提供し得るホーム発展型ノードB(eNB)(HeNB:Home evolved Node B)を含んでよい。基地局102とUE104との間の通信リンク120は、UE104から基地局102へのアップリンク(UL)(逆方向リンクとも呼ばれる)送信、および/または基地局102からUE104へのダウンリンク(DL)(順方向リンクとも呼ばれる)送信を含んでよい。通信リンク120は、空間多重化、ビームフォーミング、および/または送信ダイバーシティを含む、多入力多出力(MIMO)アンテナ技術を使用し得る。通信リンクは、1つまたは複数のキャリアを通じてよい。基地局102/UE104は、各方向における送信のために使用される合計Yx MHz(x本のコンポーネントキャリア)までのキャリアアグリゲーションにおいて割り振られた、キャリア当たりY MHz(たとえば、5、10、15、20、100、400MHzなど)までの帯域幅のスペクトルを使用し得る。キャリアは、互いに隣接してもしなくてもよい。キャリアの割振りは、DLおよびULに関して非対称であってよい(たとえば、DLに対してULに対するよりも多数または少数のキャリアが割り振られてよい)。コンポーネントキャリアは、1次コンポーネントキャリアおよび1つまたは複数の2次コンポーネントキャリアを含んでよい。1次コンポーネントキャリアは1次セル(PCell:Primary Cell)と呼ばれることがあり、2次コンポーネントキャリアは2次セル(SCell:Secondary Cell)と呼ばれることがある。
【００２４】
いくつかのUE104は、デバイス間(D2D)通信リンク158を使用して互いに通信し得る。D2D通信リンク158はDL/UL WWANスペクトルを使用し得る。D2D通信リンク158は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)などの、1つまたは複数のサイドリンクチャネルを使用し得る。D2D通信は、たとえば、FlashLinQ、WiMedia、Bluetooth、ZigBee、IEEE802.11規格に基づくWi-Fi、LTE、またはNRなどの、様々なワイヤレスD2D通信システムを通じてよい。
【００２５】
ワイヤレス通信システムは、5GHz無認可周波数スペクトルの中で通信リンク154を介してWi-Fi局(STA)152と通信しているWi-Fiアクセスポイント(AP)150をさらに含んでよい。無認可周波数スペクトルの中で通信するとき、STA152/AP150は、チャネルが利用可能であるかどうかを決定するために、通信する前にクリアチャネルアセスメント(CCA)を実行し得る。
【００２６】
スモールセル102'は、認可周波数スペクトルおよび/または無認可周波数スペクトルの中で動作し得る。無認可周波数スペクトルの中で動作するとき、スモールセル102'は、NRを採用してよく、Wi-Fi AP150によって使用されるのと同じ5GHz無認可周波数スペクトルを使用してよい。無認可周波数スペクトルの中でNRを採用するスモールセル102'は、アクセスネットワークへのカバレージを拡大してよく、かつ/またはアクセスネットワークの容量を増大させてよい。
【００２７】
基地局102は、スモールセル102'であろうとラージセル(たとえば、マクロ基地局)であろうと、eNB、gノードB(gNB)、または別のタイプの基地局を含んでよい。gNB180などのいくつかの基地局は、UE104と通信して、従来のサブ6GHzスペクトル、ミリ波(mmW)周波数、および/または準mmW周波数で動作し得る。gNB180がmmW周波数または準mmW周波数で動作するとき、gNB180はmmW基地局と呼ばれることがある。極高周波(EHF:extremely high frequency)は、電磁スペクトルにおけるRFの一部である。EHFは、範囲が30GHz〜300GHzであり、波長が1ミリメートルと10ミリメートルとの間である。その帯域における電波は、ミリ波と呼ばれることがある。準mmWは、波長が100ミリメートルの3GHzという周波数まで下方に広がることがある。超高周波(SHF:super high frequency)帯域は、3GHzと30GHzとの間に広がり、センチメートル波とも呼ばれる。mmW/準mmW無線周波数帯域(たとえば、3GHz〜300GHz)を使用する通信は、経路損失が極めて大きく距離が短い。mmW基地局180は、極めて大きい経路損失および短い距離を補償するために、UE104と一緒にビームフォーミング182を利用し得る。
【００２８】
基地局180は、ビームフォーミングされた信号をUE104へ、1つまたは複数の送信方向182'で送信してよい。UE104は、ビームフォーミングされた信号を基地局180から、1つまたは複数の受信方向182''で受信し得る。UE104はまた、ビームフォーミングされた信号を基地局180へ、1つまたは複数の送信方向で送信してよい。基地局180は、ビームフォーミングされた信号をUE104から、1つまたは複数の受信方向で受信し得る。基地局180/UE104は、基地局180/UE104の各々に対して最良の受信方向および送信方向を決定するためにビームトレーニングを実行し得る。基地局180に対する送信方向および受信方向は、同じであっても同じでなくてもよい。UE104に対する送信方向および受信方向は、同じであっても同じでなくてもよい。
【００２９】
EPC160は、モビリティ管理エンティティ(MME:Mobility Management Entity)162、他のMME164、サービングゲートウェイ166、マルチメディアブロードキャストマルチキャストサービス(MBMS:Multimedia Broadcast Multicast Service)ゲートウェイ168、ブロードキャストマルチキャストサービスセンター(BM-SC:Broadcast Multicast Service Center)170、およびパケットデータネットワーク(PDN:Packet Data Network)ゲートウェイ172を含んでよい。MME162は、ホーム加入者サーバ(HSS:Home Subscriber Server)174と通信していてよい。MME162は、UE104とEPC160との間のシグナリングを処理する制御ノードである。概して、MME162はベアラ管理および接続管理を行う。すべてのユーザインターネットプロトコル(IP)パケットは、サービングゲートウェイ166を通じて転送され、サービングゲートウェイ166自体は、PDNゲートウェイ172に接続される。PDNゲートウェイ172は、UE IPアドレス割振りならびに他の機能を提供する。PDNゲートウェイ172およびBM-SC170は、IPサービス176に接続される。IPサービス176は、インターネット、イントラネット、IPマルチメディアサブシステム(IMS:IP Multimedia Subsystem)、PSストリーミングサービス、および/または他のIPサービスを含んでよい。BM-SC170は、MBMSユーザサービスのプロビジョニングおよび配送のための機能を提供し得る。BM-SC170は、コンテンツプロバイダMBMS送信のためのエントリポイントとして働いてよく、パブリックランドモバイルネットワーク(PLMN:Public Land Mobile Network)内のMBMSベアラサービスを許可および起動するために使用されてよく、MBMS送信をスケジュールするために使用されてよい。MBMSゲートウェイ168は、特定のサービスをブロードキャストするマルチキャストブロードキャスト単一周波数ネットワーク(MBSFN:Multicast Broadcast Single Frequency Network)エリアに属する基地局102にMBMSトラフィックを配信するために使用されてよく、セッション管理(開始/停止)およびeMBMS関連の課金情報を収集することを担当し得る。
【００３０】
コアネットワーク190は、アクセスおよびモビリティ管理機能(AMF)192、他のAMF(図示せず)、認証サーバ機能(AUSF)148、セッション管理機能(SMF)194、ならびにユーザプレーン機能(UPF:User Plane Function)195を含んでよい。AMFコンポーネント146は、加入データ、認証データなどのデータを使用する、統合データ管理(UDM:Unified Data Management)149と通信していてよい。AMFコンポーネント146は、UE104とコアネットワーク190との間のシグナリングを処理する制御ノードである。概して、AMFコンポーネント146は、QoSフロー管理およびセッション管理を行う。すべてのユーザインターネットプロトコル(IP)パケットは、UPF195を通じて転送される。UPF195は、UE IPアドレス割振りならびに他の機能を提供する。UPF195は、IPサービス197に接続される。IPサービス197は、インターネット、イントラネット、IPマルチメディアサブシステム(IMS)、PSストリーミングサービス、および/または他のIPサービスを含んでよい。AUSFコンポーネント148は、3GPP TS33.501において指定されるような3GPPアクセスおよび信頼できない非3GPPアクセスのための認証をサポートする。5GC190の追加の機能のさらなる詳細が、たとえば、3GPP TS23.501において提供される。
【００３１】
基地局102は、gNB、ノードB、発展型ノードB(eNB)、アクセスポイント、トランシーバ基地局、無線基地局、無線トランシーバ、トランシーバ機能、基本サービスセット(BSS)、拡張サービスセット(ESS)、送受信ポイント(TRP:transmit reception point)、または他の何らかの好適な用語で呼ばれることもある。基地局102は、EPC160またはコアネットワーク190へのアクセスポイントをUE104に提供する。UE104の例は、セルラーフォン、スマートフォン、セッション開始プロトコル(SIP)電話、ラップトップ、携帯情報端末(PDA)、衛星ラジオ、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メーター、ガスポンプ、大型もしくは小型の調理家電、健康管理デバイス、インプラント、センサー/アクチュエータ、ディスプレイ、または任意の他の類似の機能デバイスを含む。UE104のうちのいくつかは、IoTデバイス(たとえば、パーキングメーター、ガスポンプ、トースター、車両、心臓モニタなど)と呼ばれることがある。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または他の何らかの好適な用語で呼ばれることもある。
【００３２】
本開示の態様は、ワイヤレス通信ネットワークにおいてUEを登録するためのEAPセキュリティプロシージャの拡張をもたらす。いくつかの態様は、5Gスタンドアロン(SA)モード(たとえば、既存の4Gによってサポートされない5G)、あるいは3GPP 5G NASシグナリングを介した、第3世代認証および鍵合意のためのEAP方法(たとえば、インターネットエンジニアリングタスクフォース(IETF)コメント要請(RFC)4187において記載されるような、EAP-AKA)、または第3世代認証および鍵合意のための改善されたEAP方法(たとえば、IETF RFC5448において記載されるような、EAP-AKA')を必要とする、任意の他の将来技術に適用可能である。
【００３３】
概して、NASは、UE104とMME162との間でメッセージを通信するためのプロトコルを提供する。NASのためのプロトコルおよびプロシージャは、3GPP規格において、たとえば、3GPP技術仕様(TS)24.501において指定される。しかしながら、NASのための規格ベースのプロトコルおよびプロシージャは、UE登録中の(EAPを伴わない)AKA認証を想定する。しかしながら、5Gの場合、ネットワークアーキテクチャ(NASコンポーネント142がAMFコンポーネント146において終端し、かつEAPコンポーネント144がAUSFコンポーネント148において終端すること)のために、EAP-AKA(またはEAP-AKA')は、NASを介して(AKAまたはAKA'だけでなくNASを介して)動作させられる。
【００３４】
図2〜図6を参照すると、それぞれ、EAP-AKA/AKA'認証による5GネットワークへのUE登録のための例示的なメッセージシーケンスフロー200、300、400、500、および600が、本開示の態様に従って提供される。一態様では、たとえば、図1におけるアクセスネットワーク100の中で、UE104のUSIM140、NASコンポーネント142、およびEAPコンポーネント144と、EPC160のAMFコンポーネント146、AUSFコンポーネント148、およびUDMコンポーネント149との間で、メッセージシーケンスフロー200、300、400、500、および600の各々が実行され得る。
【００３５】
最初に図2を参照すると、一態様では、たとえば、メッセージシーケンスフロー200は、ワイヤレス通信ネットワークにおける成功したUE登録に対応する。202において、UE登録プロシージャは、UE104の中のNASコンポーネント142が5G登録要求をAMFコンポーネント146へ送って開始する。204において、AMFコンポーネント146は、UE104の識別情報を要求するEAP-REQ/識別情報メッセージを用いて応答し、NASコンポーネント142は、EAP-REQ/識別情報メッセージをEAPコンポーネント144に伝達する。206において、EAPコンポーネント144は、EAP-RSP/識別情報メッセージの中でUE識別情報をNASコンポーネント142へ送り、NASコンポーネント142は、そのメッセージをAMFコンポーネント146に伝達し、AMFコンポーネント146は、そのメッセージをAUSFコンポーネント148に伝達する。208において、AUSFコンポーネント148は、UDMコンポーネント149にAKAベクトルを要求する。210において、UDMコンポーネント149は、生成された乱数「AKA-RAND」、認証トークン「AUTN」、および予想される応答「XRES」とともに、AUSFコンポーネント148に応答する。212において、AUSFコンポーネント148は、キーマテリアルを導出し、AKA'チャレンジ要求EAP-REQ/AKA'-Challengeを伴うEAPメッセージをAMFコンポーネント146へ送り、AMFコンポーネント146は、そのメッセージをNASコンポーネント142に伝達し、NASコンポーネント142は、そのメッセージをEAPコンポーネント144に伝達する。216において、EAPコンポーネント144は、AKA認証のためにメッセージをUSIM140へ送る。
【００３６】
218において、USIM140は、認証トークン「AUTN」を検証し、応答「RES」、完全性鍵「IK」、および暗号化鍵「CK」を生成する。220において、USIM140は、「RES」、「CK」、および「IK」とともに、認証応答メッセージAUTH RSPをEAPコンポーネント144へ送る。222において、EAPコンポーネント144は、AKA'チャレンジ応答EAP-RSP/AKA'-Challengeを伴うEAPメッセージをAUSFコンポーネント148へ送る。224において、AUSFコンポーネント148は、セキュリティアンカー機能(SEAF:security anchor function)アンカー鍵Kseafを含むEAP-Successメッセージを、AMFコンポーネント146へ送る。226において、AMFコンポーネント146は、鍵導出機能(KDF:key derivation function)を使用してKseafに基づいてAMF鍵Kamfを生成する。228において、AMFコンポーネント146は、EAP成功メッセージEAP-SuccessをNASコンポーネント142へ送り、NASコンポーネント142は、そのメッセージをEAPコンポーネント144に伝達する。230において、EAPコンポーネント144は、拡張マスタセッション鍵(EMSK:extended master session key)およびKseafを生成する。232において、EAPコンポーネント144は、KseafとともにEAP認証成功メッセージEAP-AUTH-SUCCをNASコンポーネント142へ送る。234において、NASコンポーネント142およびAMFコンポーネント146は、NASセキュリティモードコマンド(SMC:security mode command)を交換する。236において、登録プロシージャが首尾よく完了する。
【００３７】
本開示のいくつかの態様は、EAPセキュリティプロシージャにおける拡張をもたらす。拡張は、(1)UEがプロシージャを早期に中止することに起因する登録障害の見込みを小さくしてよく、(2)UEが、異なるネットワークにフォールバックおよび接続する必要があるとき、NASプロシージャを完了する際の遅延を最小化し得る。いくつかの態様は、以下で説明するように上述の拡張を達成するために、EAP(またはEAPを管理するエンティティ)とNASとの間の相互作用および通知を実施する。
【００３８】
EAPとは、たとえば、IETF RFC3748によって規定される、規格ベースの認証フレームワークである。いくつかの態様では、EAPは、セルラー3GPP展開では使用されず、EAPソフトウェアは、通常、WiFiチップセットベンダによって、WiFiサプリカントソフトウェアを提供するサードパーティによって、またはWiFiを管理するための高レベルオペレーティングシステム(HLOS)によって、ライブラリとして提供される。そのようなEAP実装形態は、標準のアプリケーションプログラミングインターフェース(API)を有する。しかしながら、いくつかの態様は、セルラーモデム内に(たとえば、Qualcomm CDMA技術(QCT:Qualcomm CDMA Technologies)チップセット内に)EAPとNASの両方を実装するチップセットを提供する。これらの例示的な代替態様の詳細が、図7および図8を参照しながら本明細書で提供される。
【００３９】
次に図3を参照すると、一態様では、たとえば、メッセージシーケンスフロー300は、同期(synchronization)(本明細書では同期(sync)とも呼ばれる)障害に起因するEAP障害に対応し、結果としてUE登録障害になる。AKA認証のためにEAPコンポーネント144がメッセージをUSIM140へ送る216まで、メッセージシーケンスフロー300はメッセージシーケンスフロー200と類似である。しかしながら、メッセージシーケンスフロー300では、302において、USIM140が、認証トークンAUTNの中のシーケンス番号が正しくないことを発見する。304において、USIM140は、認証障害を示す認証応答メッセージAUTH RSPをEAPコンポーネント144へ送る。306において、EAPコンポーネント144は、AKA'同期障害応答メッセージEAP-RSP/AKA'-Sync_FailureをNASコンポーネント142へ送り、NASコンポーネント142は、そのメッセージをAMFコンポーネント146に伝達し、AMFコンポーネント146は、そのメッセージをAUSFコンポーネント148に伝達する。一態様では、同期障害は、同期を再試行することによって修正され得る。したがって、308において、AUSFコンポーネント148は、再同期(resynchronization)(本明細書では再同期(resync)とも呼ばれる)を実行する。310において、AUSFコンポーネント148は、AKA'チャレンジ要求EAP-REQ/AKA'-Challengeを伴う別のEAPメッセージをEAPコンポーネント144へ送る。しかしながら、再同期が完了する前、312において、NASコンポーネント142におけるNAS登録タイマーが満了する。したがって、314において登録が失敗する。タイマーおよび登録障害のさらなる詳細が次のように提供される。
【００４０】
UE104が登録プロシージャの一部として5G登録プロシージャを開始すると、NASコンポーネント142は、3GPP規格において指定されるように、たとえば、3GPP TS24.501において指定されるように、(たとえば、1つまたは複数のNAS登録タイマーを含む)様々なタイマーを開始する。一態様では、たとえば、NASコンポーネント142は、202において1つまたは複数のタイマーを開始してよい。いくつかの態様では、たとえば、NASタイマーは、(以下で説明する図4の中のUE104におけるステップ408から、再試行されるステップ214まで適用可能な)タイマーT3520、(以下で説明する図2の中のネットワークにおいてステップ214からステップ222まで適用可能な)T3560、または任意のバックオフタイマーを含んでよい。
【００４１】
図3の例では、EAP-AKA/AKA'は302において失敗するが、障害は、永続的な認証障害(たとえば、国際モバイル加入者識別情報(IMSI:international mobile subscriber identity)が無効であるとき、IMSIがブロックされているときなど)ではなく同期障害である可能性が最も高く、したがって、ネットワークまたはUE104からのさらなる試行が、結果として認証の最終的な成功になり得る。しかしながら、EAPコンポーネント144が(ワイヤレスローカルエリアネットワーク(WLAN)などの)他のワイヤレス技術におけるように動作する場合、EAPコンポーネント144は、すべての再試行(たとえば、構成済みの回数の再試行)が終わった後、成功/障害結果をNASコンポーネント142に通知するにすぎない。その間に、1つまたは複数のNASタイマーが満了することがあり、NASコンポーネント142にNRセル(たとえば、アクセスネットワーク100の中のgNB180)への登録プロシージャを中止させる。UE104が、中止する前に追加の時間だけ待っていれば、登録は最終的に成功することがある。
【００４２】
次に図4を参照すると、一態様では、たとえば、例示的なメッセージシーケンスフロー400は、UE104が5Gネットワークとの認証に失敗することに起因するEAP障害に対応する。AKA認証のためにEAPコンポーネント144がメッセージをUSIM140へ送る216まで、メッセージシーケンスフロー400はメッセージシーケンスフロー200および300と類似である。しかしながら、メッセージシーケンスフロー400では、402において、USIM140は、認証トークンAUTNの検証に失敗する。404において、USIM140は、認証障害を示す認証応答メッセージAUTH RSPをEAPコンポーネント144へ送る。406において、EAPコンポーネント144は、AKA'認証拒絶応答メッセージEAP-RSP/AKA'-AUTH_RejectをNASコンポーネント142へ送り、NASコンポーネント142は、そのメッセージをAMFコンポーネント146に伝達し、AMFコンポーネント146は、そのメッセージをAUSFコンポーネント148に伝達する。408において、AUSFコンポーネント148は、EAP障害メッセージEAP_FAILUREをEAPコンポーネント144へ送る。410において、EAPコンポーネント144は、EAP認証障害メッセージEAP_AUTH_FAILUREをNASコンポーネント142へ送る。したがって、412において登録が失敗する。しかしながら、障害にもかかわらず、414において、NASコンポーネント142は、同じネットワークにUE104を登録するためにメッセージシーケンスフロー400を再試行する。登録障害および再試行のさらなる詳細が次のように提供される。
【００４３】
一態様では、NASコンポーネント142などの5G NASとのUE104の登録プロシージャ中、NASシグナリングを介した認証のためにEAP-AKA/AKA'プロシージャが実行される。EAPコンポーネント144が、(WLANまたは拡張高速パケットデータ(eHRPD:enhanced high-rate packet data)などの)他のワイヤレス技術におけるようにEAP-AKA/AKA'認証を実行し、かつNASコンポーネント142が、3GPP技術(すなわち、5Gシステム)におけるようにNASプロシージャを実行する場合、EAPコンポーネント144がネットワークの中でUE104の認証に失敗した後でも、EAPコンポーネント144およびNASコンポーネント142は、UE104がUEプロシージャを完了するのを待ち、NASコンポーネント142は、複数回、登録を再試行(たとえば、図4の中の208から408までのステップのサブセットを再試行)してよい。再試行が試行されている間、ユーザはサービス/接続性を得ない。NASプロシージャが終わった後でのみ、UE104は、いくつかの他の技術、たとえば、LTEにフォールバックし得る。
【００４４】
しかしながら、いくつかの態様では、EAPおよびNASレイヤは、改善された接続性および登録のための追加の情報を交換するように拡張される。次に図5を参照すると、一態様では、たとえば、メッセージシーケンスフロー500は、UE同期障害の場合に致命的な登録障害を回避する。AKA認証のためにEAPコンポーネント144がメッセージをUSIM140へ送る216まで、メッセージシーケンスフロー500はメッセージシーケンスフロー200、300、および400と類似である。さらに、メッセージシーケンスフロー300の中の302におけるように、502において、メッセージシーケンスフロー500では、USIM140が、認証トークンAUTNの中のシーケンス番号が正しくないことを発見する。504において、USIM140は、認証障害を示す認証応答メッセージAUTH RSPをEAPコンポーネント144へ送る。506において、EAPコンポーネント144は、AKA'同期障害応答メッセージEAP-RSP/AKA'-Sync_FailureをNASコンポーネント142へ送り、NASコンポーネント142は、そのメッセージをAMFコンポーネント146に伝達し、AMFコンポーネント146は、そのメッセージをAUSFコンポーネント148に伝達する。508において、AUSFコンポーネント148は再同期を実行する。さらに、510において、EAPコンポーネント144はまた、EAP同期障害メッセージをNASコンポーネント142へ送る。それに応答して、512において、NASコンポーネント142は、1つまたは複数のNASタイマーを中断および/または再開する。514において、EAPコンポーネント144およびAUSFコンポーネント148は、EAP再認証を実行する。EAP再認証に成功すると、516において、EAPコンポーネント144は、EAP認証成功メッセージEAP-AUTH-SUCCをNASコンポーネント142へ送る。518において、NASコンポーネント142およびAMFコンポーネント146は、NAS SMCを交換し、520において、登録プロシージャが首尾よく完了する。タイマーを中断または再開することに関係するさらなる詳細が次のように提供される。
【００４５】
図5において、同期障害が決定されると、EAPコンポーネント144は、追加の往復シグナリングメッセージが再試行される場合、最終的な成功の可能性があることを決定する。すなわち、EAP同期障害は、致命的な登録障害を必ずしも引き起こす必要があるとは限らない。そのような追加の往復シグナリングメッセージが余分な遅延を引き起こすことがあるので、EAPコンポーネント144は、1つまたは複数のNASタイマーを中断または再開するために、NASコンポーネント142に通知を提供する。その結果、NASコンポーネント142は、登録プロシージャを早期には中止せず、EAPコンポーネント144は、再同期するためにネットワークからの後続の再試行を実行することによって元の同期障害から回復することができ、最終的にUE104は5Gシステムに登録し得る。
【００４６】
次に図6を参照すると、一態様では、たとえば、メッセージシーケンスフロー600は、永続的なネットワーク認証障害の場合に登録を中止する。AKA認証のためにEAPコンポーネント144がメッセージをUSIM140へ送る216まで、メッセージシーケンスフロー600はメッセージシーケンスフロー200、300、400、および500と類似である。さらに、メッセージシーケンスフロー400の中の402におけるように、602において、USIM140は、認証トークンAUTNの検証に失敗する。604において、USIM140は、認証障害を示す認証応答メッセージAUTH RSPをEAPコンポーネント144へ送る。606において、EAPコンポーネント144は、AKA'認証拒絶応答メッセージEAP-RSP/AKA'-AUTH_RejectをNASコンポーネント142へ送り、NASコンポーネント142は、そのメッセージをAMFコンポーネント146に伝達し、AMFコンポーネント146は、そのメッセージをAUSFコンポーネント148に伝達する。608において、AUSFコンポーネント148は、EAP障害メッセージEAP_FAILUREをAMFコンポーネント146へ送り、AMFコンポーネント146は、そのメッセージをNASコンポーネント142に伝達し、NASコンポーネント142は、そのメッセージをEAPコンポーネント144に伝達する。610において、EAPコンポーネント144は、EAP認証障害メッセージEAP_AUTH_FAILUREをNASコンポーネント142へ送る。612において登録が失敗し、NASコンポーネント142は、さらなる登録再試行から現在のセル/PLMNを排除し、代わりに、異なるネットワークにUE104を登録することを試みる。さらなる登録再試行から現在のセル/PLMNを排除すること、および異なるネットワークにUE104を登録することを試みることのさらなる詳細が、次のように提供される。
【００４７】
メッセージシーケンスフロー600では、UE104上のEAPコンポーネント144が5Gネットワークの認証に失敗しているとき、同じ結果が反復し続けるので、同じNRセルへの登録をNASコンポーネント142が再試行することには意味がない。したがって、610において、EAPコンポーネント144は、登録プロシージャを中止し、かつさらなる登録試行から現在のNRセルまたは登録エリアを排除するために、NASコンポーネント142に通知を提供する。UE104が永続的なネットワーク認証障害を有するので登録プロセスは612において中止され、UE104は、異なるネットワーク上に直ちに移動してよい。すなわち、同じNRセルへの登録を再試行して時間を浪費するのではなく、NASコンポーネント142は、現在のセルに対しては断念し、異なるネットワーク(たとえば、LTE)にフォールバックすることができ、それによって、図4におけるメッセージシーケンスフロー400と比較してもっと急速なユーザデータ接続性をもたらす。
【００４８】
図7および図8を参照すると、それぞれ、UEの第1の例示的な実装形態700および第2の例示的な実装形態800が、本開示の態様に従って提供される。第1の例示的な実装形態700または第2の例示的な実装形態800の各々は、本明細書で開示する任意のUEによって、たとえば、図1におけるアクセスネットワーク100の中のUE104によって、実施され得る。第1の例示的な実装形態700または第2の例示的な実装形態800の各々は、本明細書で説明する任意のプロシージャ、たとえば、図5および図6を参照しながら本明細書で説明したプロシージャに従って、セルラーネットワークにおいてUE104を登録するように動作可能である。
【００４９】
次に図7を参照すると、一態様では、たとえば、第1の例示的な実装形態700は、モバイルデバイスメーカーがWifiおよび/または5GチップをQCTから購入しない実装形態に対応する。第1のソフトウェア実装形態700は、セルラー(NR)モデム143、APコンポーネント145、(WLAN MACおよび物理レイヤを提供する)WLANモデム712、およびUSIM140を含む。セルラーモデム143は、NASコンポーネント142、無線リソース制御(RRC)コンポーネント716、および(パケットデータコンバージェンスプロトコル(PDCP)、無線リンク制御(RLC)、メディアアクセス制御(MAC)、物理レイヤ(L1)などを含む)NRスタック718を含む。NASコンポーネント142は、RRCコンポーネント716を介してNRスタック718と通信する。APコンポーネント145は、HLOS702(たとえば、Android、Windows、iOSなど)、WLANドライバ710、WLANサプリカント708、SIMドライバ714、およびセルラーモデムドライバ704を含む。一態様では、APコンポーネント145は、HLOS702自体の一部として、または別個にEAPライブラリとしてのいずれかで、APコンポーネント145上で動作するEAPレイヤを実施するEAPコンポーネント144をさらに含む。どちらにしても、EAPコンポーネント144は、WLANサプリカント708との通信のための、かつAPIと相互接続するために構成されたセルラーモデムドライバ704およびセルラーモデム143のコネクタ706を通じた、セルラーモデム143の中のNASコンポーネント142との通信のための、標準のEAP APIおよびインターフェースを提供する。一態様では、USIM140およびEAPライブラリ144は、SIMドライバ714を介して通信し得る。一態様では、WLANモデム712およびWLANサプリカント708は、WLANドライバ710を介して通信する。
【００５０】
次に図8を参照すると、一態様では、たとえば、第2の例示的な実装形態800は、QCTチップセット実装に対応する。第1の例示的な実装形態700と同様に、第2の例示的な実装形態800も、(NASコンポーネント142、RRCコンポーネント716、およびNRスタック718を含む)セルラー(NR)モデム143、(HLOS702、WLANドライバ710、およびWLANサプリカント708を含む)APコンポーネント145、およびUSIM140を含む。ただし、第1の例示的な実装形態700とは異なり、第2の例示的な実装形態800では、EAPレイヤは、セルラーモデム143上で動作し、EAPコンポーネント144によってセルラーモデム143の中に実装される。セルラーモデム143は、EAPコンポーネント144とUSIM140との間の通信を提供するSIMドライバ714をさらに含む。
【００５１】
一態様では、セルラーモデムインターフェース802およびAPインターフェース806(その各々は、Qualcommモデムインターフェース(QMI:Qualcomm modem interface)によって実装されてよい)を通じた、APコンポーネント145の中のWLANサプリカント708との通信のために、EAPコンポーネント144は、標準のEAP APIおよびインターフェースを提供し、WLANサプリカント708は、APコンポーネント145から(たとえば、QMIを通じて)APIにアクセスすることができる。その上、5G使用のために、第2の例示的な実装形態800におけるセルラーモデム143は、EAPレイヤの上に追加のレイヤを提供するデータサービス中立ホストネットワーク(DS_NHN)コンポーネント804を含む。追加のレイヤは、5G NASコンポーネント142によってアクセスされ得る。一態様では、DS_NHNコンポーネント804は、たとえば、図5および図6を参照しながら本明細書で説明したように、改善されたUE登録のための本明細書で説明する相互作用および最適化の実現をもたらし得る。
【００５２】
図9〜図11を参照すると、たとえば、UE登録を実行するための、上記で説明した態様によるUE104におけるワイヤレス通信の方法900、1000、および1100は、本明細書で規定するアクションのうちの1つまたは複数を含む。一態様では、たとえば、ワイヤレス通信の方法900、1000、および1100の各々は、メモリ1216(図12)を含んでよく、かつ全体的なUE104、またはEAPコンポーネント144、NASコンポーネント142、USIM140、モデム143、APコンポーネント145、プロセッサ1212(図12)、トランシーバ1202(図12)などの、UE104の構成要素であってよい、UE104によって実行され得る。
【００５３】
次に図9を参照すると、一態様では、たとえば、902において、方法900は、第1のネットワークにおいてUEを登録するためのセキュリティプロシージャを起動することを含み、ここで、UEは、EAPコンポーネントおよびNASコンポーネントを実装する。たとえば、一態様では、UE104は、アクセスネットワーク100においてUE104を登録するためのセキュリティプロシージャを起動するためにNASコンポーネント142を実行してよく、ここで、UE104は、本明細書で説明するように、EAPコンポーネント144によってEAPレイヤを、またNASコンポーネント142によってNASレイヤを実装する。たとえば、一態様では、図2〜図6を参照すると、202において、NASコンポーネント142は、ネットワークにおいてUE104を登録するための登録プロシージャを起動するために、5G登録要求をEPC160の中のAMFコンポーネント146へ送ってよい。
【００５４】
したがって、UE104、EAPコンポーネント144、NASコンポーネント142、USIM140、モデム143、APコンポーネント145、プロセッサ1212(図12)、および/またはトランシーバ1202(図12)は、第1のネットワークにおいてUEを登録するためのセキュリティプロシージャを起動するための手段を提供してよく、ここで、UEは、EAPコンポーネントおよびNASコンポーネントを実装する。
【００５５】
904において、方法900は、セキュリティプロシージャの起動に応答してNASコンポーネントにおいてNAS登録タイマーを開始することを含み、ここで、NAS登録タイマーの満了は、NASコンポーネントにセキュリティプロシージャを中止させるように構成される。たとえば、一態様では、NASコンポーネント142は、セキュリティプロシージャの起動に応答してNASコンポーネントにおいてNAS登録タイマーを開始してよく、ここで、NAS登録タイマーの満了は、NASコンポーネント142にセキュリティプロシージャを中止させるように構成される。たとえば、一態様では、NASコンポーネント142は、ネットワークにおいてUE104を登録するための登録プロシージャを起動した後、1つまたは複数のNAS登録タイマーを開始してよい。
【００５６】
したがって、UE104、EAPコンポーネント144、NASコンポーネント142、USIM140、モデム143、APコンポーネント145、プロセッサ1212(図12)、および/またはトランシーバ1202(図12)は、セキュリティプロシージャの起動に応答してNASコンポーネントにおいてNAS登録タイマーを開始するための手段を提供してよく、ここで、NAS登録タイマーの満了は、NASコンポーネントにセキュリティプロシージャを中止させるように構成される。
【００５７】
906において、方法900は、セキュリティプロシージャにおけるEAP障害を決定することを含む。たとえば、一態様では、USIM140は、セキュリティプロシージャにおけるEAP障害を決定してよい。たとえば、一態様では、図3の中の302において、または図5の中の502において、USIM140は、セキュリティプロシージャ中にEAPコンポーネントから受信された認証トークンAUTNの中のシーケンス番号が正しくないことを発見することがある。いくつかの他の態様では、たとえば、図4の中の402において、または図6の中の602において、USIM140は、セキュリティプロシージャ中にEAPコンポーネントから受信された認証トークンAUTNの検証に失敗することがある。
【００５８】
したがって、UE104、EAPコンポーネント144、NASコンポーネント142、USIM140、モデム143、APコンポーネント145、プロセッサ1212(図12)、および/またはトランシーバ1202(図12)は、セキュリティプロシージャにおけるEAP障害を決定するための手段を提供してよい。
【００５９】
908において、方法900は、EAP障害が、セキュリティプロシージャの少なくとも部分を再試行することによって回復可能な回復可能タイプ障害であるのか、それともセキュリティプロシージャのいかなる部分を再試行することによっても回復可能でない非回復可能タイプ障害であるのかを、決定することを含む。たとえば、一態様では、EAPコンポーネント144は、EAP障害が、セキュリティプロシージャの少なくとも部分を再試行することによって回復可能な回復可能タイプ障害であるのか、それともセキュリティプロシージャのいかなる部分を再試行することによっても回復可能でない非回復可能タイプ障害であるのかを、決定してよい。たとえば、一態様では、図5の中の504において、または図6の中の604において、AUTH RSP:障害メッセージを受信した後、EAPコンポーネント144は、回復可能タイプ障害(たとえば、再試行することによって回復され得る障害)または非回復可能タイプ障害(たとえば、再試行することによって回復され得ない障害)のうちの一方にEAP障害をマッピングするために、(たとえば、UE104において記憶された)記憶済みのテーブルをルックアップしてよい。
【００６０】
したがって、UE104、EAPコンポーネント144、NASコンポーネント142、USIM140、モデム143、APコンポーネント145、プロセッサ1212(図12)、および/またはトランシーバ1202(図12)は、EAP障害が、セキュリティプロシージャの少なくとも部分を再試行することによって回復可能な回復可能タイプ障害であるのか、それともセキュリティプロシージャのいかなる部分を再試行することによっても回復可能でない非回復可能タイプ障害であるのかを、決定するための手段を提供してよい。
【００６１】
910において、方法900は、EAP障害が非回復可能タイプ障害であることに応じてセキュリティプロシージャを中止することを含む。たとえば、一態様では、NASコンポーネント142は、EAP障害が非回復可能タイプ障害であることに応じてセキュリティプロシージャを中止してよい。たとえば、一態様では、図6の中の610において、NASコンポーネント142は、EAP障害が回復可能でない認証障害であることに応じてセキュリティプロシージャを中止してよい。
【００６２】
したがって、UE104、EAPコンポーネント144、NASコンポーネント142、USIM140、モデム143、APコンポーネント145、プロセッサ1212(図12)、および/またはトランシーバ1202(図12)は、EAP障害が非回復可能タイプ障害であることに応じてセキュリティプロシージャを中止するための手段を提供してよい。
【００６３】
912において、方法900は、EAP障害が回復可能タイプ障害であることに応じてNAS登録タイマーを中断または再開することを含む。たとえば、一態様では、NASコンポーネント142は、EAP障害が回復可能タイプ障害であることに応じてNAS登録タイマーを中断または再開してよい。たとえば、一態様では、図5の中の512において、NASコンポーネント142は、EAP障害が、508において再同期を実行することおよび514において再認証を実行することによって回復可能な同期障害であることに応じて、NAS登録タイマーを中断または再開してよい。
【００６４】
したがって、UE104、EAPコンポーネント144、NASコンポーネント142、USIM140、モデム143、APコンポーネント145、プロセッサ1212(図12)、および/またはトランシーバ1202(図12)は、EAP障害が回復可能タイプ障害であることに応じてNAS登録タイマーを中断または再開するための手段を提供してよい。
【００６５】
一態様では、たとえば、方法900のブロック908は、随意にブロック914またはブロック916をさらに含んでよい。914において、方法900は、EAP障害がAKA同期障害であることを決定することをさらに含んでよく、ここで、AKA同期障害は回復可能タイプ障害である。たとえば、一態様では、EAPコンポーネント144は、EAP障害がAKA同期障害であることを決定してよく、ここで、AKA同期障害は回復可能タイプ障害である。たとえば、一態様では、AKA同期障害を示すAUTH RSP:障害メッセージを図5の中の504において受信した後、EAPコンポーネント144は、AKA同期障害を回復可能タイプ障害(たとえば、再試行することによって回復され得る障害)にマッピングするために、(たとえば、UE104において記憶された)記憶済みのテーブルをルックアップしてよい。
【００６６】
したがって、UE104、EAPコンポーネント144、NASコンポーネント142、USIM140、モデム143、APコンポーネント145、プロセッサ1212(図12)、および/またはトランシーバ1202(図12)は、EAP障害がAKA同期障害であることを決定するための手段を提供してよく、ここで、AKA同期障害は回復可能タイプ障害である。
【００６７】
916において、方法900は、EAP障害が認証障害であることを決定することをさらに含んでよく、ここで、認証障害は非回復可能タイプ障害である。たとえば、一態様では、EAPコンポーネント144は、EAP障害が認証障害であることを決定してよく、ここで、認証障害は非回復可能タイプ障害である。たとえば、一態様では、認証障害を示すAUTH RSP:障害メッセージを図6の中の604において受信した後、EAPコンポーネント144は、認証障害を非回復可能タイプ障害(たとえば、再試行することによって回復され得ない障害)にマッピングするために、(たとえば、UE104において記憶された)記憶済みのテーブルをルックアップしてよい。
【００６８】
したがって、UE104、EAPコンポーネント144、NASコンポーネント142、USIM140、モデム143、APコンポーネント145、プロセッサ1212(図12)、および/またはトランシーバ1202(図12)は、EAP障害が認証障害であることを決定するための手段を提供してよく、ここで、認証障害は非回復可能タイプ障害である。
【００６９】
一態様では、たとえば、第1のネットワークは、SAモードでの5Gネットワークであってよい。たとえば、一態様では、第1のネットワークは、gNB180を介してアクセスされるアクセスネットワーク100であり、SAモードでの5Gネットワークである。
【００７０】
一態様では、たとえば、セキュリティプロシージャは、3GPP 5G NASシグナリングを介したEAP-AKAまたはEAP-AKA'認証プロシージャであってよい。たとえば、一態様では、アクセスネットワーク100においてUE104を登録するためのセキュリティプロシージャは、3GPP 5G NASシグナリングを介したEAP-AKAまたはEAP-AKA'認証プロシージャである。
【００７１】
一態様では、たとえば、UEは、セルラーモデムおよびアプリケーションプロセッサを含んでよい。たとえば、一態様では、UE104は、セルラーモデム143およびAPコンポーネント145を含んでよい。
【００７２】
一態様では、たとえば、NASコンポーネントは、セルラーモデムの中に実装されてよく、EAPコンポーネントは、アプリケーションプロセッサの中のEAPライブラリとして実装されてよく、ここで、EAPライブラリおよびNASコンポーネントは、少なくとも1つのEAP APIを介して通信する。たとえば、一態様では、図7における例示的なUE実装形態700を参照しながら本明細書で説明したように、NASコンポーネント142は、セルラーモデム143の中に実装されてよく、EAPコンポーネント144は、APコンポーネント145の中のEAPライブラリとして実装されてよく、ここで、EAPライブラリおよびNASコンポーネント142は、少なくとも1つのEAP APIを介して通信する。
【００７３】
一態様では、たとえば、NASコンポーネントおよびEAPコンポーネントは、セルラーモデムの中に実装されてよく、EAPコンポーネントは、NASコンポーネントによってアクセス可能な追加のレイヤを実装してよく、ここで、EAPコンポーネントおよびNASコンポーネントは、追加のレイヤを介して通信する。たとえば、一態様では、図8における第2の例示的なソフトウェア実装形態800を参照しながら本明細書で説明したように、NASコンポーネント142およびEAPコンポーネント144は、セルラーモデム143の中に実装されてよく、EAPコンポーネント144は、DS-NHNコンポーネント804と呼ばれNASコンポーネント142によってアクセス可能な追加のレイヤを実装してよく、EAPコンポーネント144およびNASコンポーネント142は、DS-NHNコンポーネント804を介して通信する。
【００７４】
一態様では、たとえば、NASコンポーネントは、3GPP TS24.501に従って構成されてよい。たとえば、一態様では、NASコンポーネント142は、UE104においてNASレイヤを実装するために、3GPP TS24.501に従って構成されてよい。
【００７５】
一態様では、たとえば、EAPコンポーネントは、IETF RFC3748に従って構成されてよい。たとえば、一態様では、EAPコンポーネント144は、UE104においてEAPレイヤを実装するために、IETF RFC3748に従って構成されてよい。
【００７６】
次に図10を参照すると、一態様では、たとえば、方法900は方法1000を随意に含んでよい。詳細には、1002において、方法1000は、EAP障害が非回復可能タイプ障害であることに応じてセキュリティプロシージャを中止するために、EAPコンポーネントからNASコンポーネントへ第1のメッセージを送ることを含む。たとえば、一態様では、EAPコンポーネント144は、EAP障害が非回復可能タイプ障害であることに応じてセキュリティプロシージャを中止するために、NASコンポーネント142へ第1のメッセージを送ってよい。一態様では、たとえば、セキュリティプロシージャを中止することは、第1のメッセージの受信に応答してNASコンポーネントによって実行される。たとえば、一態様では、NASコンポーネント142は、EAPコンポーネント144からの第1のメッセージの受信に応答してセキュリティプロシージャを中止してよい。たとえば、一態様では、再試行することによって回復可能でない認証障害を示す認証障害メッセージEAP_AUTH_FAILUREを図6の中の610において受信した後、612において、NASコンポーネント142はセキュリティプロシージャを中止する。
【００７７】
したがって、UE104、EAPコンポーネント144、NASコンポーネント142、USIM140、モデム143、APコンポーネント145、プロセッサ1212(図12)、および/またはトランシーバ1202(図12)は、EAP障害が非回復可能タイプ障害であることに応じてセキュリティプロシージャを中止するために、EAPコンポーネントからNASコンポーネントへ第1のメッセージを送るための手段を提供してよい。
【００７８】
1004において、方法1000は、NASコンポーネントによるセキュリティプロシージャの中止に応答して第1のネットワークとは異なる第2のネットワーク上に接続することを試行することを含む。たとえば、一態様では、NASコンポーネント142は、NASコンポーネント142によるセキュリティプロシージャの中止に応答して第1のネットワークとは異なる第2のネットワーク上に接続することを試行してよい。たとえば、一態様では、図6の中の612においてセキュリティプロシージャを中止した後、NASコンポーネント142はまた、異なるネットワークに接続することを試行する。
【００７９】
したがって、UE104、EAPコンポーネント144、NASコンポーネント142、USIM140、モデム143、APコンポーネント145、プロセッサ1212(図12)、および/またはトランシーバ1202(図12)は、NASコンポーネントによるセキュリティプロシージャの中止に応答して第1のネットワークとは異なる第2のネットワーク上に接続することを試行するための手段を提供してよい。
【００８０】
1006において、方法1000は、第1のメッセージの受信に応答して第1のネットワークにおけるUEの後続の登録試行をNASコンポーネントによって妨げることを含む。たとえば、一態様では、NASコンポーネント142は、EAPコンポーネント144からの第1のメッセージの受信に応答して第1のネットワークにおけるUE104の後続の登録試行を妨げてよい。たとえば、一態様では、再試行することによって回復可能でない認証障害を示す認証障害メッセージEAP_AUTH_FAILUREを図6の中の610において受信した後、612において、NASコンポーネント142は、UE104による後続の登録試行から現在のセル/PLMNを排除してよい。
【００８１】
したがって、UE104、EAPコンポーネント144、NASコンポーネント142、USIM140、モデム143、APコンポーネント145、プロセッサ1212(図12)、および/またはトランシーバ1202(図12)は、第1のメッセージの受信に応答して第1のネットワークにおけるUEの後続の登録試行をNASコンポーネントによって妨げるための手段を提供してよい。
【００８２】
次に図11を参照すると、一態様では、たとえば、方法900は随意に方法1100が後続してよい。詳細には、1102において、方法1100は、EAP障害が回復可能タイプ障害であることに応じてNAS登録タイマーを中断または再開するために、EAPコンポーネントからNASコンポーネントへ第2のメッセージを送ることを含む。たとえば、一態様では、EAPコンポーネント144は、EAP障害が回復可能タイプ障害であることに応じてNAS登録タイマーを中断または再開するために、NASコンポーネント142へ第2のメッセージを送ってよい。一態様では、たとえば、NAS登録タイマーを中断または再開することは、第2のメッセージの受信に応答してNASコンポーネントによって実行される。たとえば、一態様では、NASコンポーネント142は、EAPコンポーネント144からの第2のメッセージの受信に応答してNAS登録タイマーを中断または再開してよい。たとえば、一態様では、再同期を実行することによって回復可能であるEAP同期障害を示すEAP同期障害メッセージを図5の中の510においてEAPコンポーネント144から受信した後、NASコンポーネント142は、NAS登録タイマーを中断または再開する。
【００８３】
したがって、UE104、EAPコンポーネント144、NASコンポーネント142、USIM140、モデム143、APコンポーネント145、プロセッサ1212(図12)、および/またはトランシーバ1202(図12)は、EAP障害が回復可能タイプ障害であることに応じてNAS登録タイマーを中断または再開するために、EAPコンポーネントからNASコンポーネントへ第2のメッセージを送るための手段を提供してよい。
【００８４】
1104において、方法1100は、第2のメッセージの送出に応答してEAPコンポーネントによってセキュリティプロシージャの少なくとも部分を再試行することを含む。たとえば、一態様では、EAPコンポーネントは、第2のメッセージの送出に応答してセキュリティプロシージャの少なくとも部分を再試行してよい。たとえば、一態様では、再同期を実行することによって回復可能なEAP同期障害を示すEAP同期障害メッセージを図5の中の510においてNASコンポーネント142へ送った後、506において、EAPコンポーネント144は、NASコンポーネント142へEAP-RSP/AKA'-Sync_Failureメッセージを送ることによって再同期を試みてよく、NASコンポーネント142は、そのメッセージをAMFコンポーネント146に伝達し、AMFコンポーネント146は、508において再同期を実行するために、そのメッセージをAUSFコンポーネント148に伝達する。
【００８５】
したがって、UE104、EAPコンポーネント144、NASコンポーネント142、USIM140、モデム143、APコンポーネント145、プロセッサ1212(図12)、および/またはトランシーバ1202(図12)は、第2のメッセージの送出に応答してEAPコンポーネントによってセキュリティプロシージャの少なくとも部分を再試行するための手段を提供してよい。
【００８６】
図12を参照すると、UE104の実装形態の一例は様々な構成要素を含んでよく、そのうちのいくつかはすでに上記で説明されているが、1つまたは複数のバス1244を介して通信している、USIM140、1つまたは複数のプロセッサ1212、メモリ1216、およびトランシーバ1202などの構成要素を含み、そうした構成要素は、ネットワークの中でUE104を登録することに関する、本明細書で説明する機能のうちの1つまたは複数を可能にするように動作し得る。さらに、USIM140、1つまたは複数のプロセッサ1212、メモリ1216、トランシーバ1202、RFフロントエンド1288、および1つまたは複数のアンテナ1265は、1つまたは複数の無線アクセス技術において音声および/またはデータ呼を(同時または非同時に)サポートするように構成され得る。
【００８７】
一態様では、1つまたは複数のプロセッサ1212は、1つまたは複数のプロセッサを使用するAPコンポーネント145、および1つまたは複数のモデムプロセッサを使用するモデム143を含むことができる。NASコンポーネント142に関係する様々な機能は、モデム143の中に含まれてよく、一態様では、単一のプロセッサによって実行され得るが、他の態様では、機能のうちの異なる機能が、2つ以上の異なるプロセッサの組合せによって実行されてよい。さらに、EAPコンポーネント144に関係する様々な機能は、(たとえば、図7および図8を参照しながら本明細書で説明したように)モデム143またはAPコンポーネント145のいずれかの中に含まれてよく、一態様では、単一のプロセッサによって実行され得るが、他の態様では、機能のうちの異なる機能が、2つ以上の異なるプロセッサの組合せによって実行されてよい。たとえば、一態様では、1つまたは複数のプロセッサ1212は、トランシーバ1202に関連する、モデムプロセッサ、またはアプリケーションプロセッサ、またはベースバンドプロセッサ、またはデジタル信号プロセッサ、または送信機プロセッサ、または受信機プロセッサ、またはトランシーバプロセッサのうちの、いずれかまたは任意の組合せを含んでよい。他の態様では、NASコンポーネント142に関連する、1つまたは複数のプロセッサ1212および/またはモデム143の機能のうちのいくつかが、トランシーバ1202によって実行されてよい。いくつかのさらなる態様では、EAPコンポーネント144に関連する、1つまたは複数のプロセッサ1212および/またはモデム143および/またはAPコンポーネント145の機能のうちのいくつかが、トランシーバ1202によって実行されてよい。
【００８８】
また、メモリ1216は、本明細書において使用されるデータ、ならびに/あるいはローカルバージョンのアプリケーション1275またはNASコンポーネント142および/もしくはEAPコンポーネント144、ならびに/あるいは少なくとも1つのプロセッサ1212によって実行されているそれらのサブコンポーネントのうちの1つまたは複数を記憶するように構成され得る。メモリ1216は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたは少なくとも1つのプロセッサ1212によって使用可能な任意のタイプのコンピュータ可読媒体を含むことができる。一態様では、たとえば、メモリ1216は、NASコンポーネント142および/またはEAPコンポーネント144ならびに/あるいはそれらのサブコンポーネントのうちの1つまたは複数を実行するためにUE104が少なくとも1つのプロセッサ1212を動作させているとき、NASコンポーネント142および/またはEAPコンポーネント144ならびに/あるいはそれらのサブコンポーネントのうちの1つまたは複数を規定する1つまたは複数のコンピュータ実行可能コード、ならびに/あるいはそれらに関連するデータを記憶する、非一時的コンピュータ可読記憶媒体であってよい。
【００８９】
トランシーバ1202は、少なくとも1つの受信機1206および少なくとも1つの送信機1208を含んでよい。受信機1206は、データを受信するためにプロセッサによって実行可能なハードウェア、ファームウェア、および/またはソフトウェアコードを含んでよく、コードは命令を備えるとともにメモリ(たとえば、コンピュータ可読媒体)の中に記憶される。受信機1206は、たとえば、無線周波数(RF)受信機であってよい。一態様では、受信機1206は、少なくとも1つの基地局102または180によって送信された信号を受信し得る。追加として、受信機1206は、そのような受信信号を処理してよく、限定はしないが、Ec/Io、SNR、RSRP、RSSIなどの、信号の測定値も取得し得る。送信機1208は、データを送信するためにプロセッサによって実行可能なハードウェア、ファームウェア、および/またはソフトウェアコードを含んでよく、コードは命令を備えるとともにメモリ(たとえば、コンピュータ可読媒体)の中に記憶される。送信機1208の好適な例は、限定はしないが、RF送信機を含んでよい。
【００９０】
その上、一態様では、UE104は、無線送信、たとえば、少なくとも1つの基地局102もしくは180によって送信されるワイヤレス通信またはUE104によって送信されるワイヤレス通信を受信および送信するために、1つまたは複数のアンテナ1265およびトランシーバ1202と通信して動作し得るRFフロントエンド1288を含んでよい。RFフロントエンド1288は、1つまたは複数のアンテナ1265に接続されてよく、RF信号を送信および受信するための、1つまたは複数の低雑音増幅器(LNA)1290、1つまたは複数のスイッチ1292、1つまたは複数の電力増幅器(PA)1298、および1つまたは複数のフィルタ1296を含むことができる。
【００９１】
一態様では、LNA1290は、所望の出力レベルで受信信号を増幅することができる。一態様では、各LNA1290は、指定された最小利得値および最大利得値を有してよい。一態様では、RFフロントエンド1288は、特定の適用例に対する所望の利得値に基づいて特定のLNA1290および指定されたその利得値を選択するために、1つまたは複数のスイッチ1292を使用してよい。
【００９２】
さらに、所望の出力電力レベルでRF出力用の信号を増幅するために、たとえば、1つまたは複数のPA1298がRFフロントエンド1288によって使用されてよい。一態様では、各PA1298は、指定された最小利得値および最大利得値を有してよい。一態様では、RFフロントエンド1288は、特定の適用例に対する所望の利得値に基づいて特定のPA1298および指定されたその利得値を選択するために、1つまたは複数のスイッチ1292を使用してよい。
【００９３】
また、受信信号をフィルタ処理して入力RF信号を取得するために、たとえば、1つまたは複数のフィルタ1296がRFフロントエンド1288によって使用され得る。同様に、一態様では、それぞれのPA1298からの出力をフィルタ処理して送信用の出力信号を生成するために、たとえば、それぞれのフィルタ1296が使用され得る。一態様では、各フィルタ1296は、特定のLNA1290および/またはPA1298に接続され得る。一態様では、RFフロントエンド1288は、トランシーバ1202および/またはプロセッサ1212によって指定されるような構成に基づいて、指定されたフィルタ1296、LNA1290、および/またはPA1298を使用する送信経路または受信経路を選択するために、1つまたは複数のスイッチ1292を使用することができる。
【００９４】
したがって、トランシーバ1202は、RFフロントエンド1288を介して1つまたは複数のアンテナ1265を通じてワイヤレス信号を送信および受信するように構成され得る。一態様では、トランシーバは、UE104が、たとえば、1つまたは複数の基地局102または180、あるいは1つまたは複数の基地局102または180に関連付けられた1つまたは複数のセルと通信できるような、指定された周波数で動作するように同調され得る。一態様では、たとえば、モデム143は、UE104のUE構成およびモデム143によって使用される通信プロトコルに基づいて、指定された周波数および電力レベルで動作するようにトランシーバ1202を構成することができる。
【００９５】
一態様では、モデム143は、トランシーバ1202を使用してデジタルデータが送られ受信されるような、デジタルデータを処理することおよびトランシーバ1202と通信することができる、マルチバンドマルチモードモデムであり得る。一態様では、モデム143はマルチバンドであり得、特定の通信プロトコル用の複数の周波数帯域をサポートするように構成され得る。一態様では、モデム143はマルチモードであり得、複数の動作ネットワークおよび通信プロトコルをサポートするように構成され得る。一態様では、モデム143は、指定されたモデム構成に基づいてネットワークからの信号の送信および/または受信を可能にするために、UE104の1つまたは複数の構成要素(たとえば、RFフロントエンド1288、トランシーバ1202)を制御することができる。一態様では、モデム構成は、モデムのモードおよび使用中の周波数帯域に基づくことができる。別の態様では、モデム構成は、セル選択中および/またはセル再選択中にネットワークによって提供されるような、UE104に関連するUE構成情報に基づくことができる。
【００９６】
図13を参照すると、基地局102の実装形態の一例は様々な構成要素を含んでよく、そのうちのいくつかはすでに上記で説明されているが、1つまたは複数のバス1344を介して通信している1つまたは複数のプロセッサ1312およびメモリ1316およびトランシーバ1302などの構成要素を含み、そうした構成要素は、基地局動作に関係する、本明細書で説明する機能のうちの1つまたは複数を可能にするために、モデム141とともに動作し得る。トランシーバ1302、受信機1306、送信機1308、1つまたは複数のプロセッサ1312、メモリ1316、アプリケーション1375、バス1344、RFフロントエンド1388、LNA1390、スイッチ1392、フィルタ1396、PA1398、および1つまたは複数のアンテナ1365は、上記で説明したようなUE104の対応する構成要素と同じかまたは類似であってよいが、UE動作ではなく基地局動作のために構成されてよく、さもなければプログラムされてよい。
【００９７】
図14を参照すると、基地局1410およびUE1450の様々な構成要素の一例は、アクセスネットワークにおけるそれらの通信交換を可能にする。一態様では、UE1450の1つまたは複数の構成要素は、図12を参照しながら上記で説明した、アプリケーション1275、モデム143、APコンポーネント145、EAPコンポーネント144、および/またはNASコンポーネント142を実装し得る。たとえば、一態様では、UE1450の1つまたは複数のプロセッサ(たとえば、TXプロセッサ1468、RXプロセッサ1456、コントローラ/プロセッサ1459など)は、モデム143を含むことができ、かつ/または1つもしくは複数のモデムプロセッサを使用するモデム143の一部であり得る。一態様では、APコンポーネント145、EAPコンポーネント144、および/またはNASコンポーネント142に関係する様々な機能は、UE1450のモデム143および/または1つもしくは複数のプロセッサの中に含まれてよく、一態様では、単一のプロセッサによって実行され得るが、他の態様では、機能のうちの異なる機能が、2つ以上の異なるプロセッサの組合せによって実行されてよい。たとえば、一態様では、UE1450の1つまたは複数のプロセッサは、トランシーバに関連する、モデムプロセッサ、またはベースバンドプロセッサ、またはデジタル信号プロセッサ、または送信機プロセッサ、または受信機プロセッサ、またはトランシーバプロセッサのうちの、いずれかまたは任意の組合せを含んでよい。他の態様では、モデム143、APコンポーネント145、EAPコンポーネント144、および/またはNASコンポーネント142の機能のうちのいくつかは、UE1450のトランシーバ1454によって実行されてよい。また、UE1450のメモリ1460は、本明細書において使用されるデータ、ならびに/あるいはローカルバージョンのアプリケーション1275もしくはAPコンポーネント145、EAPコンポーネント144、および/またはNASコンポーネント142、ならびに/あるいはUE1450の1つまたは複数のプロセッサによって実行されているそのサブコンポーネントのうちの1つまたは複数を記憶するように構成されてよい。一態様では、たとえば、メモリ1460は、APコンポーネント145、EAPコンポーネント144、および/またはNASコンポーネント142、ならびに/あるいはそのサブコンポーネントのうちの1つまたは複数を実行するためにUE1450が少なくとも1つのプロセッサを動作させているとき、APコンポーネント145、EAPコンポーネント144、および/またはNASコンポーネント142、ならびに/あるいはそれらのサブコンポーネントのうちの1つまたは複数を規定する1つまたは複数のコンピュータ実行可能コード、ならびに/あるいはそれらに関連するデータを記憶する、非一時的コンピュータ可読記憶媒体であってよい。
【００９８】
DLでは、EPC160からのIPパケットが、コントローラ/プロセッサ1475に提供され得る。コントローラ/プロセッサ1475は、レイヤ3機能およびレイヤ2機能を実装する。レイヤ3は、無線リソース制御(RRC)レイヤを含み、レイヤ2は、サービスデータ適合プロトコル(SDAP)レイヤ、パケットデータコンバージェンスプロトコル(PDCP)レイヤ、無線リンク制御(RLC)レイヤ、およびメディアアクセス制御(MAC)レイヤを含む。コントローラ/プロセッサ1475は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連する、RRCレイヤ機能と、ヘッダ圧縮/解凍、セキュリティ(暗号化、解読、完全性保護、完全性検証)、およびハンドオーバサポート機能に関連する、PDCPレイヤ機能と、上位レイヤパケットデータユニット(PDU)の転送、ARQを通じた誤り訂正、RLCサービスデータユニット(SDU)の連結、セグメンテーション、およびリアセンブリ、RLCデータPDUの再セグメンテーション、ならびにRLCデータPDUの並べ替えに関連する、RLCレイヤ機能と、論理チャネルとトランスポートチャネルとの間のマッピング、トランスポートブロック(TB)上へのMAC SDUの多重化、TBからのMAC SDUの多重化解除、スケジューリング情報報告、HARQを通じた誤り訂正、優先度処理、および論理チャネル優先度付けに関連する、MACレイヤ機能とを提供する。
【００９９】
送信(TX)プロセッサ1416および受信(RX)プロセッサ1470は、様々な信号処理機能に関連するレイヤ1機能を実装する。物理(PHY)レイヤを含むレイヤ1は、トランスポートチャネル上の誤り検出、トランスポートチャネルの前方誤り訂正(FEC)コーディング/復号、インターリービング、レートマッチング、物理チャネル上へのマッピング、物理チャネルの変調/復調、およびMIMOアンテナ処理を含んでよい。TXプロセッサ1416は、様々な変調方式(たとえば、2位相シフトキーイング(BPSK)、4位相シフトキーイング(QPSK)、M位相シフトキーイング(M-PSK)、M相直交振幅変調(M-QAM))に基づく信号コンスタレーションへのマッピングを処理する。コーディングおよび変調されたシンボルは、次いで、並列ストリームに分割され得る。各ストリームは、次いで、OFDMサブキャリアにマッピングされ、時間領域および/または周波数領域において基準信号(たとえば、パイロット)と多重化され、次いで、逆高速フーリエ変換(IFFT)を使用して一緒に合成されて、時間領域OFDMシンボルストリームを搬送する物理チャネルを生成し得る。OFDMストリームは、複数の空間ストリームを生成するために空間的にプリコーディングされる。チャネル推定器1474からのチャネル推定値は、コーディングおよび変調方式を決定するために、かつ空間処理のために使用され得る。チャネル推定値は、UE1450によって送信された基準信号および/またはチャネル状態フィードバックから導出され得る。各空間ストリームは、次いで、別個の送信機1418TXを介して異なるアンテナ1420に提供され得る。各送信機1418TXは、送信のためにそれぞれの空間ストリームを用いてRFキャリアを変調し得る。
【０１００】
UE1450において、各受信機1454RXは、そのそれぞれのアンテナ1452を通じて信号を受信する。各受信機1454RXは、RFキャリア上に変調された情報を復元し、その情報を受信(RX)プロセッサ1456に提供する。TXプロセッサ1468およびRXプロセッサ1456は、様々な信号処理機能に関連するレイヤ1機能を実装する。RXプロセッサ1456は、UE1450に向けられた任意の空間ストリームを復元するために、情報に対して空間処理を実行し得る。複数の空間ストリームは、UE1450に向けられている場合、RXプロセッサ1456によって単一のOFDMシンボルストリームに合成され得る。RXプロセッサ1456は、次いで、高速フーリエ変換(FFT)を使用して、OFDMシンボルストリームを時間領域から周波数領域に変換する。周波数領域信号は、OFDM信号のサブキャリアごとに別個のOFDMシンボルストリームを備える。各サブキャリア上のシンボル、および基準信号は、基地局1410によって送信された可能性が最も高い信号コンスタレーションポイントを決定することによって、復元および復調される。これらの軟判定は、チャネル推定器1458によって算出されたチャネル推定値に基づいてよい。軟判定は、次いで、復号およびデインターリーブされて、物理チャネル上で基地局1410によって最初に送信されたデータおよび制御信号を復元する。データおよび制御信号は、次いで、レイヤ3機能およびレイヤ2機能を実装するコントローラ/プロセッサ1459に提供される。
【０１０１】
コントローラ/プロセッサ1459は、プログラムコードおよびデータを記憶するメモリ1460に関連することができる。メモリ1460は、コンピュータ可読媒体と呼ばれることがある。ULでは、コントローラ/プロセッサ1459は、トランスポートチャネルと論理チャネルとの間の多重化解除、パケットリアセンブリ、解読、ヘッダ解凍、および制御信号処理を行って、EPC160からのIPパケットを復元する。コントローラ/プロセッサ1459はまた、HARQ動作をサポートするために、ACKおよび/またはNACKプロトコルを使用する誤り検出を担当する。
【０１０２】
基地局1410によるDL送信に関して説明した機能と同様に、コントローラ/プロセッサ1459は、システム情報(たとえば、MIB、SIB)獲得、RRC接続、および測定報告に関連する、RRCレイヤ機能と、ヘッダ圧縮/解凍、およびセキュリティ(暗号化、解読、完全性保護、完全性検証)に関連する、PDCPレイヤ機能と、上位レイヤPDUの転送、ARQを通じた誤り訂正、RLC SDUの連結、セグメンテーション、およびリアセンブリ、RLCデータPDUの再セグメンテーション、ならびにRLCデータPDUの並べ替えに関連する、RLCレイヤ機能と、論理チャネルとトランスポートチャネルとの間のマッピング、TB上へのMAC SDUの多重化、TBからのMAC SDUの多重化解除、スケジューリング情報報告、HARQを通じた誤り訂正、優先度処理、および論理チャネル優先度付けに関連する、MACレイヤ機能とを提供する。
【０１０３】
基地局1410によって送信された基準信号またはフィードバックからチャネル推定器1458によって導出されるチャネル推定値は、適切なコーディングおよび変調方式を選択するとともに空間処理を容易にするために、TXプロセッサ1468によって使用され得る。TXプロセッサ1468によって生成された空間ストリームは、別個の送信機1454TXを介して異なるアンテナ1452に提供され得る。各送信機1454TXは、送信のためにそれぞれの空間ストリームを用いてRFキャリアを変調し得る。
【０１０４】
UL送信は、UE1450における受信機機能に関して説明したのと同様の方式で基地局1410において処理される。各受信機1418RXは、そのそれぞれのアンテナ1420を通じて信号を受信する。各受信機1418RXは、RFキャリア上に変調された情報を復元し、その情報をRXプロセッサ1470に提供する。
【０１０５】
コントローラ/プロセッサ1475は、プログラムコードおよびデータを記憶するメモリ1476に関連することができる。メモリ1476は、コンピュータ可読媒体と呼ばれることがある。ULでは、コントローラ/プロセッサ1475は、トランスポートチャネルと論理チャネルとの間の多重化解除、パケットリアセンブリ、解読、ヘッダ解凍、制御信号処理を行って、UE1450からのIPパケットを復元する。コントローラ/プロセッサ1475からのIPパケットは、EPC160に提供され得る。コントローラ/プロセッサ1475はまた、HARQ動作をサポートするために、ACKおよび/またはNACKプロトコルを使用する誤り検出を担当する。
【０１０６】
添付の図面に関して上記で詳述した説明は例を説明し、実施され得るかまたは特許請求の範囲の範囲内に入る唯一の例を表すものではない。「例示的」という用語は、本説明で使用するとき、「例、事例、または例示として働くこと」を意味し、「好ましい」または「他の例よりも有利である」ことを意味しない。詳細な説明は、説明した技法の理解を与える目的で具体的な詳細を含む。しかしながら、これらの技法は、これらの具体的な詳細なしに実践され得る。いくつかの事例では、説明する例の概念を不明瞭にすることを回避するために、よく知られている構造および装置がブロック図の形態で示される。
【０１０７】
また、特許請求の範囲内を含めて本明細書で使用するとき、「のうちの少なくとも1つ」で終わる項目のリストにおいて使用される「または」は、たとえば、「A、B、またはCのうちの少なくとも1つ」というリストがAまたはBまたはCまたはABまたはACまたはBCまたはABC(すなわち、AおよびBおよびC)を意味するような選言的リストを示す。
【０１０８】
本開示の前述の説明は、当業者が本開示を作成または使用できるように与えられる。本開示の様々な修正は、当業者に容易に明らかになり、本明細書で定義する一般原理は、本開示の趣旨または範囲から逸脱することなく、他の変形形態に適用され得る。さらに、説明した態様および/または実施形態の要素は、単数形で説明または特許請求されることがあるが、単数形への限定が明示的に述べられていない限り複数形が企図される。追加として、任意の態様および/または実施形態の全部または一部分は、別段に記載されていない限り、任意の他の態様および/または実施形態の全部または一部分とともに利用され得る。したがって、本開示は、本明細書で説明した例および設計に限定されるべきではなく、本明細書で開示する原理および新規の特徴と一致する最も広い範囲が与えられるべきである。
【符号の説明】
【０１０９】
100  ワイヤレス通信システムおよびアクセスネットワーク
102  基地局
102'  スモールセル
104  ユーザ機器(UE)
110  地理的カバレージエリア
110'  カバレージエリア
120  通信リンク
132、134  バックホールリンク
140  ユニバーサル加入者識別モジュール(USIM)
141  モデム
142  非アクセス層(NAS)コンポーネント、5G NASコンポーネント
143  モデム、セルラー(NR)モデム
144  拡張可能認証プロトコル(EAP)コンポーネント
145  アプリケーションプロセッサ(AP)、APコンポーネント
146  アクセスおよびモビリティ管理機能(AMF)コンポーネント
148  認証サーバ機能(AUSF)コンポーネント
149  ユーザデータ管理(UDM)コンポーネント、統合データ管理(UDM)
150  Wi-Fiアクセスポイント(AP)
152  Wi-Fi局(STA)
154  通信リンク
158  デバイス間(D2D)通信リンク
160  発展型パケットコア(EPC)
162  モビリティ管理エンティティ(MME)
164  他のMME
166  サービングゲートウェイ
168  マルチメディアブロードキャストマルチキャストサービス(MBMS)ゲートウェイ
170  ブロードキャストマルチキャストサービスセンター(BM-SC)
172  パケットデータネットワーク(PDN)ゲートウェイ
174  ホーム加入者サーバ(HSS)
176  IPサービス
180  gノードB(gNB)、mmW基地局
182  ビームフォーミング
182'  送信方向
182''  受信方向
184  バックホールリンク
190  コアネットワーク
192  アクセスおよびモビリティ管理機能(AMF)
194  セッション管理機能(SMF)
195  ユーザプレーン機能(UPF)
197  IPサービス
200、300、400、500、600  メッセージシーケンスフロー
700  実装形態、第1のソフトウェア実装形態
702  高レベルオペレーティングシステム(HLOS)
704  セルラーモデムドライバ
706  コネクタ
708  WLANサプリカント
710  WLANドライバ
712  WLANモデム
714  SIMドライバ
716  無線リソース制御(RRC)コンポーネント
718  NRスタック
800  実装形態、第2のソフトウェア実装形態
802  セルラーモデムインターフェース
804  データサービス中立ホストネットワーク(DS_NHN)コンポーネント
806  APインターフェース
900、1000、1100  方法
1202  トランシーバ
1206  受信機
1208  送信機
1212  プロセッサ
1216  メモリ
1244  バス
1265  アンテナ
1275  アプリケーション
1288  RFフロントエンド
1290  低雑音増幅器(LNA)
1292  スイッチ
1296  フィルタ
1298  電力増幅器(PA)
1302  トランシーバ
1306  受信機
1308  送信機
1312  プロセッサ
1316  メモリ
1344  バス
1365  アンテナ
1375  アプリケーション
1388  RFフロントエンド
1390  低雑音増幅器(LNA)
1392  スイッチ
1396  フィルタ
1398  電力増幅器(PA)
1410  基地局
1416  送信(TX)プロセッサ
1418RX  受信機
1418TX  送信機
1420  アンテナ
1450  ユーザ機器(UE)
1452  アンテナ
1454  トランシーバ
1454RX  受信機
1454TX  送信機
1456  受信(RX)プロセッサ
1458  チャネル推定器
1459  コントローラ/プロセッサ
1460  メモリ
1468  送信(TX)プロセッサ
1470  受信(RX)プロセッサ
1474  チャネル推定器
1475  コントローラ/プロセッサ
1476  メモリ
【図１】
2022500912.tif 000003
【図２】
2022500912.tif 000004
【図３】
2022500912.tif 000005
【図４】
2022500912.tif 000006
【図５】
2022500912.tif 000007
【図６】
2022500912.tif 000008
【図７】
2022500912.tif 000009
【図８】
2022500912.tif 000010
【図９】
2022500912.tif 000011
【図１０】
2022500912.tif 000012
【図１１】
2022500912.tif 000013
【図１２】
2022500912.tif 000014
【図１３】
2022500912.tif 000015
【図１４】
2022500912.tif 000016
【国際調査報告】
2022500912.tif 000017
2022500912.tif 000018